(57)【要約】本発明は、ＬＴＥシステム中でアップリンク制御信号を送るためのリソースを判定するための方法が５Ｇ通信システムにおいて使用された場合にリソース競合が生じるという問題を解決するための、リソース指示方法および装置、ならびにアップリンク制御信号伝送方法および装置を開示する。本方法は、基地局によって、アップリンク制御信号を送るために端末によって使用されるリソースを判定するステップと、基地局によって、端末に指示情報を送るステップであって、指示情報は上記リソースを示すために使用されるか、または指示情報はターゲットパラメータを示すために使用され、ターゲットパラメータは、上記リソースを判定するために端末によって使用されるパラメータのうちの少なくとも１つを含む、ステップとを含む。本発明は通信技術の分野に適用可能である。
2019533388.tif 000002
【特許請求の範囲】
【請求項１】
基地局によって、アップリンク制御信号を送るために端末によって使用されるリソースを判定するステップと、
前記基地局によって、前記端末に指示情報を送るステップであって、前記指示情報は前記リソースを示すために使用されるか、または前記指示情報はターゲットパラメータを示すために使用され、前記ターゲットパラメータは、前記リソースを判定するために前記端末によって使用されるパラメータのうちの少なくとも１つを備える、ステップと
を備える、リソース指示方法。
【請求項２】
前記リソースを判定するために使用される前記パラメータは、第１のパラメータおよび第２のパラメータを備え、前記第１のパラメータは、リソースグループを判定するために使用され、前記リソースグループは前記リソースを備え、前記第２のパラメータは、前記リソースグループ中の前記リソースを判定するために使用されるか、または前記第１のパラメータは、前記リソースの基本リソースインデックス値を判定するために使用され、前記第２のパラメータは、前記リソースのオフセットリソースインデックス値を判定するために使用される請求項１に記載の方法。
【請求項３】
前記ターゲットパラメータは前記第１のパラメータを備え、基地局によって、アップリンク制御信号を送るために端末によって使用されるリソースを判定する前記ステップは、
前記基地局によって前記第１のパラメータを判定するステップと、
前記基地局によって、ダウンリンクリソースに基づいて前記第２のパラメータを判定するステップであって、前記ダウンリンクリソースは、前記端末に対応するダウンリンク制御信号の周波数ドメインリソース、前記ダウンリンク制御信号の時間ドメインリソース、前記ダウンリンク制御信号のコードドメインリソース、前記ダウンリンク制御信号のポート番号、前記ダウンリンク制御信号に対応するダウンリンクデータの周波数ドメインリソース、前記ダウンリンク制御信号に対応する前記ダウンリンクデータの時間ドメインリソース、前記ダウンリンク制御信号に対応する前記ダウンリンクデータのコードドメインリソース、および前記ダウンリンク制御信号に対応する前記ダウンリンクデータのポート番号のうちの１つまたは複数を備える、ステップと、
前記第１のパラメータおよび前記第２のパラメータに基づいて前記基地局によって、前記アップリンク制御信号を送るために前記端末によって使用される前記リソースを判定するステップと
を備える請求項２に記載の方法。
【請求項４】
前記基地局によって、ダウンリンクリソースに基づいて前記第２のパラメータを判定する前記ステップは、
前記基地局によって、前記ダウンリンクリソースの開始ロケーションまたは終了ロケーションに基づいて前記第２のパラメータを判定するステップ
を備える請求項３に記載の方法。
【請求項５】
前記ターゲットパラメータは前記第２のパラメータを備え、基地局によって、アップリンク制御信号を送るために端末によって使用されるリソースを判定する前記ステップは、
前記基地局によって、ダウンリンクリソースに基づいて前記第１のパラメータを判定するステップであって、前記ダウンリンクリソースは、前記端末に対応するダウンリンク制御信号の周波数ドメインリソース、前記ダウンリンク制御信号の時間ドメインリソース、前記ダウンリンク制御信号のコードドメインリソース、前記ダウンリンク制御信号のポート番号、前記ダウンリンク制御信号に対応するダウンリンクデータの周波数ドメインリソース、前記ダウンリンク制御信号に対応する前記ダウンリンクデータの時間ドメインリソース、前記ダウンリンク制御信号に対応する前記ダウンリンクデータのコードドメインリソース、および前記ダウンリンク制御信号に対応する前記ダウンリンクデータのポート番号のうちの１つまたは複数を備える、ステップと、
前記基地局によって前記第２のパラメータを判定するステップと、
前記第１のパラメータおよび前記第２のパラメータに基づいて前記基地局によって、前記アップリンク制御信号を送るために前記端末によって使用される前記リソースを判定するステップと
を備える請求項２に記載の方法。
【請求項６】
前記基地局によって、ダウンリンクリソースに基づいて前記第１のパラメータを判定する前記ステップは、
前記基地局によって、前記ダウンリンクリソースの開始ロケーションまたは終了ロケーションに基づいて前記第１のパラメータを判定するステップ
を備える請求項５に記載の方法。
【請求項７】
前記基地局によって、前記端末に指示情報を送る前記ステップは、
前記基地局によって前記端末に、前記指示情報を備える無線リソース制御ＲＲＣメッセージまたはダウンリンク制御シグナリングを送るステップ
を備える請求項１乃至６のいずれか一項に記載の方法。
【請求項８】
前記リソースはｋ個のリソース要素グループを備え、前記リソース要素グループはｍ個のリソース要素を備え、ｋは正の整数であり、ｍは正の整数である請求項１乃至７のいずれか一項に記載の方法。
【請求項９】
端末によって、基地局によって送られた指示情報を受信するステップと、
前記指示情報に基づいて前記端末によって、アップリンク制御信号を送るために前記端末によって使用されるリソースを判定するステップ、または前記指示情報に基づいて前記端末によって、ターゲットパラメータを判定するステップであって、前記ターゲットパラメータは、前記リソースを判定するために使用されるパラメータのうちの少なくとも１つを備える、ステップと
を備える、リソース指示方法。
【請求項１０】
前記リソースを判定するために使用される前記パラメータは、第１のパラメータおよび第２のパラメータを備え、前記第１のパラメータは、リソースグループを判定するために使用され、前記リソースグループは前記リソースを備え、前記第２のパラメータは、前記リソースグループ中の前記リソースを判定するために使用されるか、または前記第１のパラメータは、前記リソースの基本リソースインデックス値を判定するために使用され、前記第２のパラメータは、前記リソースのオフセットリソースインデックス値を判定するために使用される請求項９に記載の方法。
【請求項１１】
前記ターゲットパラメータは前記第１のパラメータを備え、前記方法は、
前記端末によって、ダウンリンクリソースに基づいて前記第２のパラメータを判定するステップであって、前記ダウンリンクリソースは、前記端末に対応するダウンリンク制御信号の周波数ドメインリソース、前記ダウンリンク制御信号の時間ドメインリソース、前記ダウンリンク制御信号のコードドメインリソース、前記ダウンリンク制御信号のポート番号、前記ダウンリンク制御信号に対応するダウンリンクデータの周波数ドメインリソース、前記ダウンリンク制御信号に対応する前記ダウンリンクデータの時間ドメインリソース、前記ダウンリンク制御信号に対応する前記ダウンリンクデータのコードドメインリソース、および前記ダウンリンク制御信号に対応する前記ダウンリンクデータのポート番号のうちの１つまたは複数を備える、ステップ
をさらに備える請求項１０に記載の方法。
【請求項１２】
前記端末によって、ダウンリンクリソースに基づいて前記第２のパラメータを判定する前記ステップは、
前記端末によって、前記ダウンリンクリソースの開始ロケーションまたは終了ロケーションに基づいて前記第２のパラメータを判定するステップ
を備える請求項１１に記載の方法。
【請求項１３】
前記ターゲットパラメータは前記第２のパラメータを備え、前記方法は、
前記端末によって、ダウンリンクリソースに基づいて前記第１のパラメータを判定するステップであって、前記ダウンリンクリソースは、前記端末に対応するダウンリンク制御信号の周波数ドメインリソース、前記ダウンリンク制御信号の時間ドメインリソース、前記ダウンリンク制御信号のコードドメインリソース、前記ダウンリンク制御信号のポート番号、前記ダウンリンク制御信号に対応するダウンリンクデータの周波数ドメインリソース、前記ダウンリンク制御信号に対応する前記ダウンリンクデータの時間ドメインリソース、前記ダウンリンク制御信号に対応する前記ダウンリンクデータのコードドメインリソース、および前記ダウンリンク制御信号に対応する前記ダウンリンクデータのポート番号のうちの１つまたは複数を備える、ステップ
をさらに備える請求項１０に記載の方法。
【請求項１４】
前記端末は、前記ダウンリンクリソースに基づいて前記第１のパラメータを判定し、前記方法は、
前記端末によって、前記ダウンリンクリソースの開始ロケーションまたは終了ロケーションに基づいて前記第１のパラメータを判定するステップ
をさらに備える請求項１３に記載の方法。
【請求項１５】
前記方法は、
前記端末によって、前記ターゲットパラメータおよび前記第２のパラメータに基づいて前記リソースを判定するステップ
をさらに備える請求項１１または１２に記載の方法。
【請求項１６】
前記方法は、
前記端末によって、前記ターゲットパラメータおよび前記第１のパラメータに基づいて前記リソースを判定するステップ
をさらに備える請求項１３または１４に記載の方法。
【請求項１７】
前記リソースはｋ個のリソース要素グループを備え、前記リソース要素グループはｍ個のリソース要素を備え、ｋは正の整数であり、ｍは正の整数である請求項９乃至１６のいずれか一項に記載の方法。
【請求項１８】
前記アップリンク制御信号は、ダウンリンクデータ伝送が正確であるか不正確であるかを示すために使用される情報であり、前記方法は、
ｍの値に基づいて前記端末によって、前記リソースに対応するコードワードを判定するステップと、
前記端末によって、ダウンリンクデータ伝送が正確であるか不正確であるかを示すために使用される前記情報に対して１／ｋのレートでチャネルコーディングを実施して、ｋの長さをもつビットシーケンスを取得するステップと、
前記端末によって、ｋの長さをもつ前記ビットシーケンスに対して２位相シフトキーイングＢＰＳＫ変調を実施して、ｋの長さをもつ被変調シンボルシーケンスを取得するステップと、
前記端末によって、前記コードワードを使用することによってｋの長さをもつ前記被変調シンボルシーケンスに対してスペクトラム拡散を実施して、ｍの長さをもつｋ個のシーケンスを取得するステップと、
前記端末によって、前記リソース中の前記ｋ個のリソース要素グループにｍの長さをもつ前記ｋ個のシーケンスをそれぞれマッピングするステップと
をさらに備える請求項１７に記載の方法。
【請求項１９】
ダウンリンクデータ伝送が正確であるか不正確であるかを示すために使用される前記情報は、ダウンリンクデータ伝送が正確であるか不正確であるかを示すために使用される複数の情報に対してＡＮＤ演算を実施することによって取得される情報である請求項１８に記載の方法。
【請求項２０】
ダウンリンクリソースに基づいて、アップリンク制御信号を送るために端末によって使用されるリソースを判定するステップであって、前記ダウンリンクリソースは、前記端末に対応するダウンリンク制御信号の周波数ドメインリソース、前記ダウンリンク制御信号の時間ドメインリソース、前記ダウンリンク制御信号のコードドメインリソース、前記ダウンリンク制御信号のポート番号、前記ダウンリンク制御信号に対応するダウンリンクデータの周波数ドメインリソース、前記ダウンリンク制御信号に対応する前記ダウンリンクデータの時間ドメインリソース、前記ダウンリンク制御信号に対応する前記ダウンリンクデータのコードドメインリソース、および前記ダウンリンク制御信号に対応する前記ダウンリンクデータのポート番号のうちの１つまたは複数を備える、ステップと、
前記リソース上で前記アップリンク制御信号を伝送するステップと
を備える、アップリンク制御信号伝送方法。
【請求項２１】
ダウンリンクリソースに基づいて、アップリンク制御信号を送るために端末によって使用されるリソースを判定する前記ステップは、
前記ダウンリンクリソースに基づいて、前記アップリンク制御信号を送るために前記端末によって使用される前記リソースに対応する第１のパラメータおよび第２のパラメータを判定するステップであって、前記リソースに対応する前記第１のパラメータは、リソースグループを判定するために使用され、前記リソースグループは前記リソースを備え、前記リソースに対応する前記第２のパラメータは、前記リソースグループ中の前記リソースを判定するために使用されるか、または前記リソースに対応する前記第１のパラメータは、前記リソースの基本リソースインデックス値を判定するために使用され、前記リソースに対応する前記第２のパラメータは、前記リソースのオフセットリソースインデックス値を判定するために使用される、ステップと、
前記リソースに対応する前記第１のパラメータおよび前記第２のパラメータに基づいて前記リソースを判定するステップと
を備える請求項２０に記載の方法。
【請求項２２】
前記ダウンリンクリソースに基づいて、前記アップリンク制御信号を送るために前記端末によって使用される前記リソースに対応する第１のパラメータおよび第２のパラメータを判定する前記ステップは、
前記ダウンリンクリソースの開始ロケーションまたは終了ロケーションに基づいて、前記アップリンク制御信号を送るために前記端末によって使用される前記リソースに対応する前記第１のパラメータおよび前記第２のパラメータを判定するステップ
を備える請求項２１に記載の方法。
【請求項２３】
前記リソースはｋ個のリソース要素グループを備え、前記リソース要素グループはｍ個のリソース要素を備え、ｋは正の整数であり、ｍは正の整数である請求項２０乃至２２のいずれか一項に記載の方法。
【請求項２４】
ダウンリンクリソースに基づいて、アップリンク制御信号を送るために端末によって使用されるリソースを判定する前記ステップの前に、前記方法は、
基地局によって送られた前記ダウンリンク制御信号および前記ダウンリンク制御信号に対応する前記ダウンリンクデータを受信するステップ
をさらに備える請求項２０乃至２３のいずれか一項に記載の方法。
【請求項２５】
前記アップリンク制御信号は、ダウンリンクデータ伝送が正確であるか不正確であるかを示すために使用される情報であり、前記方法は、
ｍの値に基づいて、前記リソースに対応するコードワードを判定するステップと、
ダウンリンクデータ伝送が正確であるか不正確であるかを示すために使用される前記情報に対して１／ｋのレートでチャネルコーディングを実施して、ｋの長さをもつビットシーケンスを取得するステップと、
ｋの長さをもつ前記ビットシーケンスに対して２位相シフトキーイングＢＰＳＫ変調を実施して、ｋの長さをもつ被変調シンボルシーケンスを取得するステップと、
前記コードワードを使用することによってｋの長さをもつ前記被変調シンボルシーケンスに対してスペクトラム拡散を実施して、ｍの長さをもつｋ個のシーケンスを取得するステップと、
前記リソース中の前記ｋ個のリソース要素グループにｍの長さをもつ前記ｋ個のシーケンスをそれぞれマッピングするステップと
をさらに備える請求項２３に記載の方法。
【請求項２６】
ダウンリンクデータ伝送が正確であるか不正確であるかを示すために使用される前記情報は、ダウンリンクデータ伝送が正確であるか不正確であるかを示すために使用される複数の情報に対してＡＮＤ演算を実施することによって取得される情報である請求項２５に記載の方法。
【請求項２７】
アップリンク制御信号を送るために端末によって使用されるリソースを判定するステップであって、前記リソースはｋ個のリソース要素グループを備え、前記リソース要素グループはｍ個のリソース要素を備え、ｋは正の整数であり、ｍは正の整数である、ステップと、
前記リソース上で前記アップリンク制御信号を伝送するステップと
を備える、アップリンク制御信号伝送方法。
【請求項２８】
前記ｋ個のリソース要素グループは、周波数ドメイン中で連続しない請求項２７に記載の方法。
【請求項２９】
前記リソースに対応するｋおよびｍの値は、前記アップリンク制御信号のコンテンツに基づいて判定され、前記アップリンク制御信号の前記コンテンツは、ダウンリンクデータ伝送が正確であるか不正確であるかを示すために使用される情報、ダウンリンクチャネル状態情報、およびアップリンクスケジューリング要求のコンテンツのうちの１つもしくは複数を備えるか、または
前記リソースに対応するｋおよびｍの値は、前記アップリンク制御信号に対応するダウンリンクデータのサービスタイプに基づいて判定され、前記アップリンク制御信号に対応する前記ダウンリンクデータの前記サービスタイプは、モバイルブロードバンドサービスタイプ、低遅延サービスタイプ、高信頼性サービスタイプ、およびモノのインターネットサービスタイプのサービスタイプのうちの１つもしくは複数を備えるか、または
前記リソースに対応するｋおよびｍの値は、アップリンクチャネル品質に基づいて判定される
請求項２７または２８に記載の方法。
【請求項３０】
前記リソース上で前記アップリンク制御信号を伝送する前記ステップの前に、前記方法は、
前記リソースに対応するｍの値に基づいて、前記リソースに対応するコードワードを判定するステップ
をさらに備え、
前記リソース上で前記アップリンク制御信号を伝送する前記ステップは、前記リソースに対応する前記コードワードを使用することによって前記リソース上で前記アップリンク制御信号を伝送するステップを備える
請求項２７乃至２９のいずれか一項に記載の方法。
【請求項３１】
前記リソース上で前記アップリンク制御信号を伝送する前記ステップの前に、前記方法は、
前記リソース、前記アップリンク制御信号の前記コンテンツ、前記アップリンク制御信号に対応する前記ダウンリンクデータの前記サービスタイプ、および前記アップリンク制御信号に対応する前記ダウンリンクデータの制御シグナリングのうちの１つまたは複数に基づいて、前記リソースに対応するアンテナポートを判定するステップ
をさらに備え、
前記リソース上で前記アップリンク制御信号を伝送する前記ステップは、前記リソースに対応する前記アンテナポートを使用することによって前記リソース上で前記アップリンク制御信号を伝送するステップを備える
請求項２７乃至２９のいずれか一項に記載の方法。
【請求項３２】
前記リソースに対応する前記コードワードを使用することによって前記リソース上で前記アップリンク制御信号を伝送する前記ステップの前に、前記方法は、
前記リソース、前記アップリンク制御信号の前記コンテンツ、前記アップリンク制御信号に対応する前記ダウンリンクデータの前記サービスタイプ、および前記アップリンク制御信号に対応する前記ダウンリンクデータの制御シグナリングのうちの１つまたは複数に基づいて、前記リソースに対応するアンテナポートを判定するステップ
をさらに備え、
前記リソースに対応する前記コードワードを使用することによって前記リソース上で前記アップリンク制御信号を伝送する前記ステップは、前記リソースに対応する前記コードワードおよび前記アンテナポートを使用することによって前記リソース上で前記アップリンク制御信号を伝送するステップを備える
請求項３０に記載の方法。
【請求項３３】
前記リソース要素グループにおいて、データを搬送するために使用されるリソース要素の量対復調基準信号を搬送するために使用されるリソース要素の量の比は２：１であるか、または前記リソース要素グループ中に備えられるリソース要素の量対復調基準信号を搬送するために使用され前記リソース要素グループに対応するリソース要素の量の比は２：１である請求項２７乃至３２のいずれか一項に記載の方法。
【請求項３４】
前記方法は、
前記端末に指示メッセージを送るステップであって、前記指示メッセージは、前記リソースに対応するｋおよび／またはｍの前記値を示すために使用される、ステップ
をさらに備える請求項２７乃至３３のいずれか一項に記載の方法。
【請求項３５】
アップリンク制御信号を送るために端末によって使用されるリソースを判定する前記ステップの前に、前記方法は、
基地局によって送られた指示メッセージを受信するステップと、
前記指示メッセージに基づいて、前記アップリンク制御信号を送るために使用される前記リソースに対応するパラメータの値を判定するステップであって、前記パラメータはｋおよび／またはｍを備える、ステップと
をさらに備え、
アップリンク制御信号を送るために端末によって使用されるリソースを判定する前記ステップは、前記リソースに対応する前記パラメータの前記値に基づいて前記リソースを判定するステップを備える
請求項２７乃至３３のいずれか一項に記載の方法。
【請求項３６】
前記アップリンク制御信号は、ダウンリンクデータ伝送が正確であるか不正確であるかを示すために使用される情報であり、前記方法は、
ダウンリンクデータ伝送が正確であるか不正確であるかを示すために使用される前記情報に対して１／ｋのレートでチャネルコーディングを実施して、ｋの長さをもつビットシーケンスを取得するステップと、
ｋの長さをもつ前記ビットシーケンスに対して２位相シフトキーイングＢＰＳＫ変調を実施して、ｋの長さをもつ被変調シンボルシーケンスを取得するステップと、
前記コードワードを使用することによってｋの長さをもつ前記被変調シンボルシーケンスに対してスペクトラム拡散を実施して、ｍの長さをもつｋ個のシーケンスを取得するステップと、
前記ｋ個のリソース要素グループにｍの長さをもつ前記ｋ個のシーケンスをそれぞれマッピングするステップと
をさらに備える請求項３０または３２に記載の方法。
【請求項３７】
ダウンリンクデータ伝送が正確であるか不正確であるかを示すために使用される前記情報は、ダウンリンクデータ伝送が正確であるか不正確であるかを示すために使用される複数の情報に対してＡＮＤ演算を実施することによって取得される情報である請求項３６に記載の方法。
【請求項３８】
プロセッサ、メモリ、バス、および通信インターフェースを備える基地局であって、
前記メモリは、コンピュータ実行可能命令を記憶するように構成され、前記プロセッサおよび前記メモリは、前記バスを使用することによって接続され、前記プロセッサは、前記メモリに記憶された前記コンピュータ実行可能命令に基づいて、請求項１乃至８のいずれか一項に記載のリソース指示方法を実施する、
基地局。
【請求項３９】
プロセッサ、メモリ、バス、および通信インターフェースを備える端末であって、
前記メモリは、コンピュータ実行可能命令を記憶するように構成され、前記プロセッサおよび前記メモリは、前記バスを使用することによって接続され、前記プロセッサは、前記メモリに記憶された前記コンピュータ実行可能命令に基づいて、請求項９乃至１９のいずれか一項に記載のリソース指示方法を実施する、
端末。
【請求項４０】
プロセッサ、メモリ、バス、および通信インターフェースを備えるアップリンク制御信号伝送装置であって、
前記メモリは、コンピュータ実行可能命令を記憶するように構成され、前記プロセッサおよび前記メモリは、前記バスを使用することによって接続され、前記プロセッサは、前記メモリに記憶された前記コンピュータ実行可能命令に基づいて、請求項２０乃至２６のいずれか一項に記載のアップリンク制御信号伝送方法を実施する、
アップリンク制御信号伝送装置。
【請求項４１】
プロセッサ、メモリ、バス、および通信インターフェースを備えるアップリンク制御信号伝送装置であって、
前記メモリは、コンピュータ実行可能命令を記憶するように構成され、前記プロセッサおよび前記メモリは、前記バスを使用することによって接続され、前記プロセッサは、前記メモリに記憶された前記コンピュータ実行可能命令に基づいて、請求項２７乃至３７のいずれか一項に記載のアップリンク制御信号伝送方法を実施する、
アップリンク制御信号伝送装置。
【発明の詳細な説明】
【技術分野】
【０００１】
本発明は、通信技術の分野に関し、詳細には、リソース指示方法および装置、ならびにアップリンク制御信号伝送方法および装置に関する。
【背景技術】
【０００２】
ロングタームエボリューション（Ｌｏｎｇ  Ｔｅｒｍ  Ｅｖｏｌｕｔｉｏｎ、略してＬＴＥ）システムでは、基地局が、１つのダウンリンクサブフレーム中で複数のユーザ機器（Ｕｓｅｒ  Ｅｑｕｉｐｍｅｎｔ、略してＵＥ）にダウンリンクデータを送る。複数のＵＥの各々は、別の事前構成されたアップリンクサブフレーム中で、ＵＥによって受信されたダウンリンクデータについて肯定応答（Ａｃｋｎｏｗｌｅｄｇｅｍｅｎｔ、略してＡＣＫ）／否定応答（Ｎｅｇａｔｉｖｅ  Ａｃｋｎｏｗｌｅｄｇｅｍｅｎｔ、略してＮＡＣＫ）情報をフィードバックする。ＵＥは、ＵＥのためのダウンリンクデータをスケジュールするために基地局によって使用されるダウンリンク制御シグナリングによって占有される第１の制御チャネル要素（Ｃｏｎｔｒｏｌ  Ｃｈａｎｎｅｌ  Ｅｌｅｍｅｎｔ、略してＣＣＥ）のロケーションに基づいて物理アップリンク制御チャネル（Ｐｈｙｓｉｃａｌ  Ｕｐｌｉｎｋ  Ｃｏｎｔｒｏｌ  Ｃｈａｎｎｅｌ、略してＰＵＣＣＨ）リソースのインデックス値を計算し、そのインデックス値に対応し事前構成されたアップリンクサブフレーム中にあるＰＵＣＣＨリソース上でダウンリンクデータについてＡＣＫ／ＮＡＣＫ情報をフィードバックする。
【０００３】
５Ｇ（５ｔｈ  Ｇｅｎｅｒａｔｉｏｎ）新無線（５Ｇ  Ｎｅｗ  Ｒａｄｉｏ、略して５Ｇ  ＮＲ）では、リソーススケジューリングのフレキシビリティに対してより高い要件が課される。したがって、異なるサブフレーム／タイムスロット中で異なる端末に基地局によって送られるダウンリンクデータについて、これらの異なる端末は、同じサブフレーム／タイムスロット中でダウンリンクデータについてＡＣＫ／ＮＡＣＫ情報をフィードバックする必要があり得る。ダウンリンクデータについてＡＣＫ／ＮＡＣＫ情報を送るためのリソースを判定し示すためにＬＴＥシステムの方法が直接使用されるとすれば、２つの端末は、２つのサブフレーム／タイムスロット中で２つの端末のダウンリンクデータをスケジュールするために使用されるダウンリンク制御シグナリングによって占有される第１のＣＣＥのロケーションが同じである場合、同じリソースを判定する。言い換えれば、２つの端末は、同じサブフレーム／タイムスロットの同じリソース上でダウンリンクデータについてＡＣＫ／ＮＡＣＫ情報をフィードバックする必要があり、それにより、リソース競合が引き起こされる。
【０００４】
もちろん、基地局は、代替として、異なる２つの端末のダウンリンクデータをスケジュールするために使用されるダウンリンク制御シグナリングによって占有される第１のＣＣＥのロケーションを生成し得る。しかしながら、これは、同じサブフレーム中でダウンリンクデータについてＡＣＫ／ＮＡＣＫ情報をフィードバックするいずれか２つの端末のダウンリンクデータをスケジュールするために基地局によって使用されるダウンリンク制御シグナリングによって占有される第１のＣＣＥのロケーションが異なっている必要があることを明確に意味する。その結果、基地局は、リソースをフレキシブルにスケジュールすることができない。
【発明の概要】
【０００５】
本発明の実施形態は、ＬＴＥシステム中でアップリンク制御信号を送るためのリソースを判定するための方法が５Ｇ通信システムにおいて使用された場合にリソース競合が生じるという問題を解決するための、リソース指示方法および装置、ならびにアップリンク制御信号伝送方法および装置を提供する。
【０００６】
上記の目的を達成するために、本発明の実施形態において以下の技術的解決策が使用される。
【０００７】
第１の態様によれば、基地局によって、アップリンク制御信号を送るために端末によって使用されるリソースを判定するステップと、基地局によって、端末に指示情報を送るステップであって、指示情報はリソースを示すために使用されるか、または指示情報はターゲットパラメータを示すために使用され、ターゲットパラメータは、リソースを判定するために端末によって使用されるパラメータのうちの少なくとも１つを含む、ステップとを含む、リソース指示方法が提供される。
【０００８】
第１の態様において提供される方法によれば、基地局は、アップリンク制御信号を送るために使用されるリソースを端末に示し得、それにより、端末は、アップリンク制御信号を送るために使用されるリソースを判定するか、または基地局は、リソースを判定するために使用される少なくとも１つのパラメータを端末に示し得、それにより、端末は、少なくとも１つのパラメータに基づいてリソースを判定する。端末は、端末のダウンリンクデータをスケジュールするために使用されるダウンリンク制御シグナリングによって占有される第１のＣＣＥのロケーションを使用することによって、アップリンク制御信号を送るために使用されるリソースをもはや判定しない。したがって、異なるサブフレーム／タイムスロット中で基地局によって２つの端末に送られるダウンリンクデータについて、ダウンリンクデータ伝送が正確であるか不正確であるかを示すために使用される情報が同じサブフレーム／タイムスロット中でフィードバックされる必要がある場合、基地局は、異なるサブフレーム／タイムスロット中で２つの端末のダウンリンクデータをスケジュールするために使用されるダウンリンク制御シグナリングによって占有される第１のＣＣＥのロケーションが同じである場合でも、アップリンク制御信号を送るために異なるリソースを２つの端末に依然として割り振り得る。基地局は、アップリンク制御信号を送るために使用されるリソース、またはそのリソースを判定するために使用される少なくとも１つのパラメータを２つの端末に示し、それにより、２つの端末は異なるリソースを判定する。これは、基地局のフレキシブルなリソーススケジューリングを保証しながら、リソース競合を防止する。
【０００９】
第１の態様に関して、第１の可能な実装では、リソースを判定するために使用されるパラメータは、第１のパラメータおよび第２のパラメータを含み、第１のパラメータは、リソースグループを判定するために使用され、リソースグループはリソースを含み、第２のパラメータは、リソースグループ中のリソースを判定するために使用されるか、または第１のパラメータは、リソースの基本リソースインデックス値を判定するために使用され、第２のパラメータは、リソースのオフセットリソースインデックス値を判定するために使用される。
【００１０】
第１の態様の第１の可能な実装に関して、第２の可能な実装では、ターゲットパラメータは第１のパラメータを含み、基地局によって、アップリンク制御信号を送るために端末によって使用されるリソースを判定するステップは、基地局によって第１のパラメータを判定するステップと、基地局によって、ダウンリンクリソースに基づいて第２のパラメータを判定するステップであって、ダウンリンクリソースは、端末に対応するダウンリンク制御信号の周波数ドメインリソース、ダウンリンク制御信号の時間ドメインリソース、ダウンリンク制御信号のコードドメインリソース、ダウンリンク制御信号のポート番号、ダウンリンク制御信号に対応するダウンリンクデータの周波数ドメインリソース、ダウンリンク制御信号に対応するダウンリンクデータの時間ドメインリソース、ダウンリンク制御信号に対応するダウンリンクデータのコードドメインリソース、およびダウンリンク制御信号に対応するダウンリンクデータのポート番号のうちの１つまたは複数を含む、ステップと、第１のパラメータおよび第２のパラメータに基づいて基地局によって、アップリンク制御信号を送るために端末によって使用されるリソースを判定するステップとを含む。
【００１１】
第１の態様の第２の可能な実装に関して、第３の可能な実装では、基地局によって、ダウンリンクリソースに基づいて第２のパラメータを判定するステップは、基地局によって、ダウンリンクリソースの開始ロケーションまたは終了ロケーションに基づいて第２のパラメータを判定するステップを含む。
【００１２】
第１の態様の第１の可能な実装に関して、第４の可能な実装では、ターゲットパラメータは第２のパラメータを含み、基地局によって、アップリンク制御信号を送るために端末によって使用されるリソースを判定するステップは、基地局によって、ダウンリンクリソースに基づいて第１のパラメータを判定するステップであって、ダウンリンクリソースは、端末に対応するダウンリンク制御信号の周波数ドメインリソース、ダウンリンク制御信号の時間ドメインリソース、ダウンリンク制御信号のコードドメインリソース、ダウンリンク制御信号のポート番号、ダウンリンク制御信号に対応するダウンリンクデータの周波数ドメインリソース、ダウンリンク制御信号に対応するダウンリンクデータの時間ドメインリソース、ダウンリンク制御信号に対応するダウンリンクデータのコードドメインリソース、およびダウンリンク制御信号に対応するダウンリンクデータのポート番号のうちの１つまたは複数を含む、ステップと、基地局によって第２のパラメータを判定するステップと、第１のパラメータおよび第２のパラメータに基づいて基地局によって、アップリンク制御信号を送るために端末によって使用されるリソースを判定するステップとを含む。
【００１３】
第１の態様の第４の可能な実装に関して、第５の可能な実装では、基地局によって、ダウンリンクリソースに基づいて第１のパラメータを判定するステップは、基地局によって、ダウンリンクリソースの開始ロケーションまたは終了ロケーションに基づいて第１のパラメータを判定するステップを含む。
【００１４】
第１の態様、または第１の態様の第１から第５の可能な実装のうちのいずれか１つに関して、第６の可能な実装では、基地局によって、端末に指示情報を送るステップは、基地局によって端末に、指示情報を含むＲＲＣメッセージまたはダウンリンク制御シグナリングを送るステップを含む。
【００１５】
第１の態様、または第１の態様の第１から第６の可能な実装のうちのいずれか１つに関して、第７の可能な実装では、リソースはｋ個のリソース要素グループを含み、リソース要素グループはｍ個のリソース要素を含み、ｋは正の整数であり、ｍは正の整数である。
【００１６】
第２の態様によれば、端末によって、基地局によって送られた指示情報を受信するステップと、指示情報に基づいて端末によって、アップリンク制御信号を送るために端末によって使用されるリソースを判定するか、または指示情報に基づいて端末によって、ターゲットパラメータを判定するステップであって、ターゲットパラメータは、リソースを判定するために使用されるパラメータのうちの少なくとも１つを含む、ステップとを含む、リソース指示方法が提供される。
【００１７】
第２の態様において提供される方法によれば、端末は、端末のダウンリンクデータをスケジュールするために使用されるダウンリンク制御シグナリングによって占有される第１のＣＣＥのロケーションを使用することによって、アップリンク制御信号を送るために使用されるリソースをもはや判定しないが、基地局によって示されるリソースに基づいて、アップリンク制御信号を送るために使用されるリソースを判定するか、または端末によって示される少なくとも１つのパラメータに基づいて、アップリンク制御信号を送るために使用されるリソースを判定する。したがって、異なるサブフレーム／タイムスロット中で基地局によって２つの端末に送られるダウンリンクデータについて、ダウンリンクデータ伝送が正確であるか不正確であるかを示すために使用される情報が同じサブフレーム／タイムスロット中でフィードバックされる必要がある場合、基地局は、異なるサブフレーム／タイムスロット中で２つの端末のダウンリンクデータをスケジュールするために使用されるダウンリンク制御シグナリングによって占有される第１のＣＣＥのロケーションが同じである場合でも、アップリンク制御信号を送るために異なるリソースを２つの端末に依然として割り振り得る。基地局は、アップリンク制御信号を送るために使用されるリソース、またはそのリソースを判定するために使用される少なくとも１つのパラメータを２つの端末に示し、それにより、２つの端末は異なるリソースを判定する。これは、基地局のフレキシブルなリソーススケジューリングを保証しながら、リソース競合を防止する。
【００１８】
第２の態様に関して、第１の可能な実装では、リソースを判定するために使用されるパラメータは、第１のパラメータおよび第２のパラメータを含み、第１のパラメータは、リソースグループを判定するために使用され、リソースグループはリソースを含み、第２のパラメータは、リソースグループ中のリソースを判定するために使用されるか、または第１のパラメータは、リソースの基本リソースインデックス値を判定するために使用され、第２のパラメータは、リソースのオフセットリソースインデックス値を判定するために使用される。
【００１９】
第２の態様の第１の可能な実装に関して、第２の可能な実装では、ターゲットパラメータは第１のパラメータを含み、本方法は、端末によって、ダウンリンクリソースに基づいて第２のパラメータを判定するステップであって、ダウンリンクリソースは、端末に対応するダウンリンク制御信号の周波数ドメインリソース、ダウンリンク制御信号の時間ドメインリソース、ダウンリンク制御信号のコードドメインリソース、ダウンリンク制御信号のポート番号、ダウンリンク制御信号に対応するダウンリンクデータの周波数ドメインリソース、ダウンリンク制御信号に対応するダウンリンクデータの時間ドメインリソース、ダウンリンク制御信号に対応するダウンリンクデータのコードドメインリソース、およびダウンリンク制御信号に対応するダウンリンクデータのポート番号のうちの１つまたは複数を含む、ステップをさらに含む。
【００２０】
第２の態様の第２の可能な実装に関して、第３の可能な実装では、端末によって、ダウンリンクリソースに基づいて第２のパラメータを判定するステップは、端末によって、ダウンリンクリソースの開始ロケーションまたは終了ロケーションに基づいて第２のパラメータを判定するステップを含む。
【００２１】
第２の態様の第１の可能な実装に関して、第４の可能な実装では、ターゲットパラメータは第２のパラメータを含み、本方法は、端末によって、ダウンリンクリソースに基づいて第１のパラメータを判定するステップであって、ダウンリンクリソースは、端末に対応するダウンリンク制御信号の周波数ドメインリソース、ダウンリンク制御信号の時間ドメインリソース、ダウンリンク制御信号のコードドメインリソース、ダウンリンク制御信号のポート番号、ダウンリンク制御信号に対応するダウンリンクデータの周波数ドメインリソース、ダウンリンク制御信号に対応するダウンリンクデータの時間ドメインリソース、ダウンリンク制御信号に対応するダウンリンクデータのコードドメインリソース、およびダウンリンク制御信号に対応するダウンリンクデータのポート番号のうちの１つまたは複数を含む、ステップをさらに含む。
【００２２】
第２の態様の第４の可能な実装に関して、第５の可能な実装では、端末は、ダウンリンクリソースに基づいて第１のパラメータを判定し、本方法は、端末によって、ダウンリンクリソースの開始ロケーションまたは終了ロケーションに基づいて第１のパラメータを判定するステップをさらに含む。
【００２３】
第２の態様の第２または第３の可能な実装に関して、第６の可能な実装では、本方法は、端末によって、ターゲットパラメータおよび第２のパラメータに基づいてリソースを判定するステップをさらに含む。
【００２４】
第２の態様の第４または第５の可能な実装に関して、第７の可能な実装では、本方法は、端末によって、ターゲットパラメータおよび第１のパラメータに基づいてリソースを判定するステップをさらに含む。
【００２５】
第２の態様、または第２の態様の第１から第７の可能な実装のうちのいずれか１つに関して、第８の可能な実装では、リソースはｋ個のリソース要素グループを含み、リソース要素グループはｍ個のリソース要素を含み、ｋは正の整数であり、ｍは正の整数である。
【００２６】
第２の態様の第８の可能な実装に関して、第９の可能な実装では、アップリンク制御信号は、ダウンリンクデータ伝送が正確であるか不正確であるかを示すために使用される情報であり、本方法は、ｍの値に基づいて端末によって、リソースに対応するコードワードを判定するステップと、端末によって、ダウンリンクデータ伝送が正確であるか不正確であるかを示すために使用される情報に対して１／ｋのレートでチャネルコーディングを実施して、ｋの長さをもつビットシーケンスを取得するステップと、端末によって、ｋの長さをもつビットシーケンスに対してＢＰＳＫ変調を実施して、ｋの長さをもつ被変調シンボルシーケンスを取得するステップと、端末によって、コードワードを使用することによってｋの長さをもつ被変調シンボルシーケンスに対してスペクトラム拡散を実施して、ｍの長さをもつｋ個のシーケンスを取得するステップと、端末によって、リソース中のｋ個のリソース要素グループにｍの長さをもつｋ個のシーケンスをそれぞれマッピングするステップとをさらに含む。
【００２７】
ＢＰＳＫ変調は、ダウンリンクデータ伝送が正確であるか不正確であるかを示すために使用される情報の対干渉および対雑音性能を改善し、ビット誤り率を低減するために使用され得る。
【００２８】
第２の態様の第９の可能な実装に関して、第１０の可能な実装では、ダウンリンクデータ伝送が正確であるか不正確であるかを示すために使用される情報は、ダウンリンクデータ伝送が正確であるか不正確であるかを示すために使用される複数の情報に対してＡＮＤ演算を実施することによって取得される情報である。
【００２９】
第３の態様によれば、ダウンリンクリソースに基づいて、アップリンク制御信号を送るために端末によって使用されるリソースを判定するステップであって、ダウンリンクリソースは、端末に対応するダウンリンク制御信号の周波数ドメインリソース、ダウンリンク制御信号の時間ドメインリソース、ダウンリンク制御信号のコードドメインリソース、ダウンリンク制御信号のポート番号、ダウンリンク制御信号に対応するダウンリンクデータの周波数ドメインリソース、ダウンリンク制御信号に対応するダウンリンクデータの時間ドメインリソース、ダウンリンク制御信号に対応するダウンリンクデータのコードドメインリソース、およびダウンリンク制御信号に対応するダウンリンクデータのポート番号のうちの１つまたは複数を含む、ステップと、リソース上でアップリンク制御信号を伝送するステップとを含む、アップリンク制御信号伝送方法が提供される。
【００３０】
第３の態様において提供される方法によれば、基地局および端末は、端末に対応するダウンリンク制御信号の周波数ドメインリソース、ダウンリンク制御信号の時間ドメインリソース、ダウンリンク制御信号のコードドメインリソース、ダウンリンク制御信号のポート番号、ダウンリンク制御信号に対応するダウンリンクデータの周波数ドメインリソース、ダウンリンク制御信号に対応するダウンリンクデータの時間ドメインリソース、ダウンリンク制御信号に対応するダウンリンクデータのコードドメインリソース、およびダウンリンク制御信号に対応するダウンリンクデータのポート番号の１つまたは複数のダウンリンクリソースに基づいて、アップリンク制御信号を送るために端末によって使用されるリソースを判定し得る。したがって、同じサブフレーム／タイムスロット中で、ダウンリンクデータ伝送が正確であるか不正確であるかを示すために使用される情報をフィードバックする必要がある異なる端末について、それらの異なる端末は、ダウンリンクデータ伝送が正確であるか不正確であるかを示すために使用される情報を送るために使用されるリソースを判定するために異なるダウンリンクリソースを使用してよく、それにより、リソース競合を回避する。
【００３１】
第３の態様に関して、第１の可能な実装では、ダウンリンクリソースに基づいて、アップリンク制御信号を送るために端末によって使用されるリソースを判定するステップは、ダウンリンクリソースに基づいて、アップリンク制御信号を送るために端末によって使用されるリソースに対応する第１のパラメータおよび第２のパラメータを判定するステップであって、リソースに対応する第１のパラメータは、リソースグループを判定するために使用され、リソースグループはリソースを含み、リソースに対応する第２のパラメータは、リソースグループ中のリソースを判定するために使用されるか、またはリソースに対応する第１のパラメータは、リソースの基本リソースインデックス値を判定するために使用され、リソースに対応する第２のパラメータは、リソースのオフセットリソースインデックス値を判定するために使用される、ステップと、リソースに対応する第１のパラメータおよび第２のパラメータに基づいてリソースを判定するステップとを含む。
【００３２】
第３の態様の第１の可能な実装に関して、第２の可能な実装では、ダウンリンクリソースに基づいて、アップリンク制御信号を送るために端末によって使用されるリソースに対応する第１のパラメータおよび第２のパラメータを判定するステップは、ダウンリンクリソースの開始ロケーションまたは終了ロケーションに基づいて、アップリンク制御信号を送るために端末によって使用されるリソースに対応する第１のパラメータおよび第２のパラメータを判定するステップを含む。
【００３３】
第３の態様、または第３の態様の第１または第２の可能な実装のうちのいずれか１つに関して、第３の可能な実装では、リソースはｋ個のリソース要素グループを含み、リソース要素グループはｍ個のリソース要素を含み、ｋは正の整数であり、ｍは正の整数である。
【００３４】
第３の態様、または第３の態様の第１から第３の可能な実装のうちのいずれか１つに関して、第４の可能な実装では、ダウンリンクリソースに基づいて、アップリンク制御信号を送るために端末によって使用されるリソースを判定するステップの前に、本方法は、基地局によって送られたダウンリンク制御信号およびダウンリンク制御信号に対応するダウンリンクデータを受信するステップをさらに含む。
【００３５】
第３の態様の第３の可能な実装に関して、第５の可能な実装では、アップリンク制御信号は、ダウンリンクデータ伝送が正確であるか不正確であるかを示すために使用される情報であり、本方法は、ｍの値に基づいて、リソースに対応するコードワードを判定するステップと、ダウンリンクデータ伝送が正確であるか不正確であるかを示すために使用される情報に対して１／ｋのレートでチャネルコーディングを実施して、ｋの長さをもつビットシーケンスを取得するステップと、ｋの長さをもつビットシーケンスに対してＢＰＳＫ変調を実施して、ｋの長さをもつ被変調シンボルシーケンスを取得するステップと、コードワードを使用することによってｋの長さをもつ被変調シンボルシーケンスに対してスペクトラム拡散を実施して、ｍの長さをもつｋ個のシーケンスを取得するステップと、リソース中のｋ個のリソース要素グループにｍの長さをもつｋ個のシーケンスをそれぞれマッピングするステップとをさらに含む。
【００３６】
ＢＰＳＫ変調は、ダウンリンクデータ伝送が正確であるか不正確であるかを示すために使用される情報の対干渉および対雑音性能を改善し、ビット誤り率を低減するために使用され得る。
【００３７】
第３の態様の第５の可能な実装に関して、第６の可能な実装では、ダウンリンクデータ伝送が正確であるか不正確であるかを示すために使用される情報は、ダウンリンクデータ伝送が正確であるか不正確であるかを示すために使用される複数の情報に対してＡＮＤ演算を実施することによって取得される情報である。
【００３８】
第４の態様によれば、アップリンク制御信号を送るために端末によって使用されるリソースを判定するステップであって、リソースはｋ個のリソース要素グループを含み、リソース要素グループはｍ個のリソース要素を含み、ｋは正の整数であり、ｍは正の整数である、ステップと、リソース上でアップリンク制御信号を伝送するステップとを含む、アップリンク制御信号伝送方法が提供される。
【００３９】
第４の態様において提供される方法によれば、アップリンク制御信号を送るために異なる端末によって使用され、基地局によって判定されるリソースは、同じ量または異なる量のリソース要素グループを含むことがあり、リソース要素グループは、同じ量または異なる量のリソースを含むことがある。従来技術におけるものと比較して、リソーススケジューリングはよりフレキシブルである。加えて、アップリンク制御領域中に含まれる総リソースが変わらないままであるとき、基地局は、アップリンク制御信号を送るために使用されるリソースをより多くの端末に割り振って、５Ｇ通信システムの要件をより容易に満たし得る。
【００４０】
第４の態様に関して、第１の可能な実装では、ｋ個のリソース要素グループは、周波数ドメイン中で連続しない。
【００４１】
第４の態様または第４の態様の第１の可能な実装に関して、第２の可能な実装では、リソースに対応するｋおよびｍの値は、アップリンク制御信号のコンテンツに基づいて判定され、アップリンク制御信号のコンテンツは、ダウンリンクデータ伝送が正確であるか不正確であるかを示すために使用される情報、ダウンリンクチャネル状態情報、およびアップリンクスケジューリング要求のコンテンツのうちの１つまたは複数を含む。
【００４２】
ｋおよびｍの値は、アップリンク制御信号の様々なコンテンツに動的に適応するように、アップリンク制御信号のコンテンツに基づいて判定される。固定値のｋおよびｍと比較して、これは、アップリンク制御信号のコンテンツのビット量が比較的小さいとき、リソース浪費を回避し、また、アップリンク制御信号のコンテンツが比較的大きいビット量を有するとき、アップリンク制御信号の伝送信頼性を保証することができる。
【００４３】
第４の態様または第４の態様の第１の可能な実装に関して、第３の可能な実装では、リソースに対応するｋおよびｍの値は、アップリンク制御信号に対応するダウンリンクデータのサービスタイプに基づいて判定され、アップリンク制御信号に対応するダウンリンクデータのサービスタイプは、モバイルブロードバンドサービスタイプ、低遅延サービスタイプ、高信頼性サービスタイプ、およびモノのインターネットサービスタイプのサービスタイプのうちの１つまたは複数を含む。
【００４４】
ｋおよびｍの値は、異なるサービスタイプのサービス要件により良く適応するように、アップリンク制御信号に対応するダウンリンクデータのサービスタイプに基づいて判定される。
【００４５】
第４の態様または第４の態様の第１の可能な実装に関して、第４の可能な実装では、リソースに対応するｋおよびｍの値は、アップリンクチャネル品質に基づいて判定される。
【００４６】
ｋおよびｍの値は、伝送信頼性を保証しながらできる限りリソース浪費を回避するように、アップリンクチャネル品質に基づいて判定される。
【００４７】
第４の態様、または第４の態様の第１から第４の可能な実装のうちのいずれか１つに関して、第５の可能な実装では、リソース上でアップリンク制御信号を伝送するステップの前に、本方法は、リソースに対応するｍの値に基づいて、リソースに対応するコードワードを判定するステップをさらに含み、リソース上でアップリンク制御信号を伝送するステップは、リソースに対応するコードワードを使用することによってリソース上でアップリンク制御信号を伝送するステップを含む。
【００４８】
アップリンク制御信号は、相互干渉を引き起こすことなしに、同じ時間ドメインリソース、周波数ドメインリソース、およびアンテナポート上で複数のアップリンク制御信号を伝送するために、直交コードを使用することによって伝送される。これは、より多くのアップリンク制御信号を伝送するように、システム容量を改善するのを助ける。
【００４９】
第４の態様、または第４の態様の第１から第４の可能な実装のうちのいずれか１つに関して、第６の可能な実装では、リソース上でアップリンク制御信号を伝送するステップの前に、本方法は、リソース、アップリンク制御信号のコンテンツ、アップリンク制御信号に対応するダウンリンクデータのサービスタイプ、およびアップリンク制御信号に対応するダウンリンクデータの制御シグナリングのうちの１つまたは複数に基づいて、リソースに対応するアンテナポートを判定するステップをさらに含み、リソース上でアップリンク制御信号を伝送するステップは、リソースに対応するアンテナポートを使用することによってリソース上でアップリンク制御信号を伝送するステップを含む。
【００５０】
アップリンク制御信号は、アップリンク制御信号を送るために端末によって使用されるリソースに対応するアンテナポートを使用することによって、アップリンク制御信号を送るために端末によって使用されるリソース上で伝送される。これは、より多くのアップリンク制御信号を伝送するように、システム容量をさらに拡張することができる。
【００５１】
第４の態様の第５の可能な実装に関して、第７の可能な実装では、リソースに対応するコードワードを使用することによってリソース上でアップリンク制御信号を伝送するステップ前に、本方法は、リソース、アップリンク制御信号のコンテンツ、アップリンク制御信号に対応するダウンリンクデータのサービスタイプ、およびアップリンク制御信号に対応するダウンリンクデータの制御シグナリングのうちの１つまたは複数に基づいて、リソースに対応するアンテナポートを判定するステップをさらに含み、リソースに対応するコードワードを使用することによってリソース上でアップリンク制御信号を伝送するステップは、リソースに対応するコードワードおよびアンテナポートを使用することによってリソース上でアップリンク制御信号を伝送するステップを含む。
【００５２】
アップリンク制御信号は、アップリンク制御信号を送るために端末によって使用されるリソースに対応するコードワードおよびアンテナポートを使用することによって、アップリンク制御信号を送るために端末によって使用されるリソース上で伝送される。これは、より多くのアップリンク制御信号を伝送するように、システム容量を効果的に拡張することができる。
【００５３】
第４の態様、または第４の態様の第１から第７の可能な実装のうちのいずれか１つに関して、第８の可能な実装では、リソース要素グループにおいて、データを搬送するために使用されるリソース要素の量対復調基準信号を搬送するために使用されるリソース要素の量の比は２：１であるか、またはリソース要素グループ中に含まれるリソース要素の量対復調基準信号を搬送するために使用されリソース要素グループに対応するリソース要素の量の比は２：１である。
【００５４】
第４の態様、または第４の態様の第１から第８の可能な実装のうちのいずれか１つに関して、第９の可能な実装では、本方法は、端末に指示メッセージを送るステップであって、指示メッセージは、リソースに対応するｋおよび／またはｍの値を示すために使用される、ステップをさらに含む。
【００５５】
第４の態様、または第４の態様の第１から第８の可能な実装のうちのいずれか１つに関して、第１０の可能な実装では、アップリンク制御信号を送るために端末によって使用されるリソースを判定するステップの前に、本方法は、基地局によって送られた指示メッセージを受信するステップと、指示メッセージに基づいて、アップリンク制御信号を送るために使用されるリソースに対応するパラメータの値を判定するステップであって、パラメータはｋおよび／またはｍを含む、ステップとをさらに含み、アップリンク制御信号を送るために端末によって使用されるリソースを判定するステップは、リソースに対応するパラメータの値に基づいてリソースを判定するステップを含む。
【００５６】
第４の態様の第５または第７の可能な実装に関して、第１１の可能な実装では、アップリンク制御信号は、ダウンリンクデータ伝送が正確であるか不正確であるかを示すために使用される情報であり、本方法は、ダウンリンクデータ伝送が正確であるか不正確であるかを示すために使用される情報に対して１／ｋのレートでチャネルコーディングを実施して、ｋの長さをもつビットシーケンスを取得するステップと、ｋの長さをもつビットシーケンスに対してＢＰＳＫ変調を実施して、ｋの長さをもつ被変調シンボルシーケンスを取得するステップと、コードワードを使用することによってｋの長さをもつ被変調シンボルシーケンスに対してスペクトラム拡散を実施して、ｍの長さをもつｋ個のシーケンスを取得するステップと、ｋ個のリソース要素グループにｍの長さをもつｋ個のシーケンスをそれぞれマッピングするステップとをさらに含む。
【００５７】
ＢＰＳＫ変調は、ダウンリンクデータ伝送が正確であるか不正確であるかを示すために使用される情報の対干渉および対雑音性能を改善し、ビット誤り率を低減するために使用され得る。
【００５８】
第４の態様の第１１の可能な実装に関して、第１２の可能な実装では、ダウンリンクデータ伝送が正確であるか不正確であるかを示すために使用される情報は、ダウンリンクデータ伝送が正確であるか不正確であるかを示すために使用される複数の情報に対してＡＮＤ演算を実施することによって取得される情報である。
【００５９】
第５の態様によれば、アップリンク制御信号を送るために端末によって使用されるリソースを判定するように構成された判定ユニットと、端末に指示情報を送るように構成された送信ユニットであって、指示情報はリソースを示すために使用されるか、または指示情報はターゲットパラメータを示すために使用され、ターゲットパラメータは、リソースを判定するために端末によって使用されるパラメータのうちの少なくとも１つを含む、送信ユニットとを含む、基地局が提供される。
【００６０】
第５の態様において提供される基地局中のユニットは、第１の態様において提供される方法を実施するように構成される。したがって、基地局の有益な効果については、第１の態様において提供される方法の有益な効果を参照されたい。詳細についてここで再び説明されない。
【００６１】
第５の態様に関して、第１の可能な実装では、リソースを判定するために使用されるパラメータは、第１のパラメータおよび第２のパラメータを含み、第１のパラメータは、リソースグループを判定するために使用され、リソースグループはリソースを含み、第２のパラメータは、リソースグループ中のリソースを判定するために使用されるか、または第１のパラメータは、リソースの基本リソースインデックス値を判定するために使用され、第２のパラメータは、リソースのオフセットリソースインデックス値を判定するために使用される。
【００６２】
第５の態様の第１の可能な実装に関して、第２の可能な実装では、ターゲットパラメータは第１のパラメータを含み、判定ユニットは、第１のパラメータを判定することと、ダウンリンクリソースに基づいて第２のパラメータを判定することであって、ダウンリンクリソースは、端末に対応するダウンリンク制御信号の周波数ドメインリソース、ダウンリンク制御信号の時間ドメインリソース、ダウンリンク制御信号のコードドメインリソース、ダウンリンク制御信号のポート番号、ダウンリンク制御信号に対応するダウンリンクデータの周波数ドメインリソース、ダウンリンク制御信号に対応するダウンリンクデータの時間ドメインリソース、ダウンリンク制御信号に対応するダウンリンクデータのコードドメインリソース、およびダウンリンク制御信号に対応するダウンリンクデータのポート番号のうちの１つまたは複数を含む、判定することと、第１のパラメータおよび第２のパラメータに基づいて、アップリンク制御信号を送るために端末によって使用されるリソースを判定することとを行うように特に構成される。
【００６３】
第５の態様の第２の可能な実装に関して、第３の可能な実装では、判定ユニットは、ダウンリンクリソースの開始ロケーションまたは終了ロケーションに基づいて第２のパラメータを判定するように特に構成される。
【００６４】
第５の態様の第１の可能な実装に関して、第４の可能な実装では、ターゲットパラメータは第２のパラメータを含み、判定ユニットは、ダウンリンクリソースに基づいて第１のパラメータを判定することであって、ダウンリンクリソースは、端末に対応するダウンリンク制御信号の周波数ドメインリソース、ダウンリンク制御信号の時間ドメインリソース、ダウンリンク制御信号のコードドメインリソース、ダウンリンク制御信号のポート番号、ダウンリンク制御信号に対応するダウンリンクデータの周波数ドメインリソース、ダウンリンク制御信号に対応するダウンリンクデータの時間ドメインリソース、ダウンリンク制御信号に対応するダウンリンクデータのコードドメインリソース、およびダウンリンク制御信号に対応するダウンリンクデータのポート番号のうちの１つまたは複数を含む、判定することと、第２のパラメータを判定することと、第１のパラメータおよび第２のパラメータに基づいて、アップリンク制御信号を送るために端末によって使用されるリソースを判定することとを行うように特に構成される。
【００６５】
第５の態様の第４の可能な実装に関して、第５の可能な実装では、判定ユニットは、ダウンリンクリソースの開始ロケーションまたは終了ロケーションに基づいて第１のパラメータを判定するように特に構成される。
【００６６】
第５の態様、または第５の態様の第１から第５の可能な実装のうちのいずれか１つに関して、第６の可能な実装では、送信ユニットは、端末に、指示情報を含むＲＲＣメッセージまたはダウンリンク制御シグナリングを送るように特に構成される。
【００６７】
第５の態様、または第５の態様の第１から第６の可能な実装のうちのいずれか１つに関して、第７の可能な実装では、リソースはｋ個のリソース要素グループを含み、リソース要素グループはｍ個のリソース要素を含み、ｋは正の整数であり、ｍは正の整数である。
【００６８】
第６の態様によれば、基地局によって送られた指示情報を受信するように構成された受信ユニットと、指示情報に基づいて、アップリンク制御信号を送るために端末によって使用されるリソースを判定するか、または指示情報に基づいて、ターゲットパラメータを判定するように構成された判定ユニットであって、ターゲットパラメータは、リソースを判定するために使用されるパラメータのうちの少なくとも１つを含む、判定ユニットとを含む、端末が提供される。
【００６９】
第６の態様において提供される端末中のユニットは、第２の態様において提供される方法を実施するように構成される。したがって、端末の有益な効果については、第２の態様において提供される方法の有益な効果を参照されたい。詳細についてここで再び説明されない。
【００７０】
第６の態様に関して、第１の可能な実装では、リソースを判定するために使用されるパラメータは、第１のパラメータおよび第２のパラメータを含み、第１のパラメータは、リソースグループを判定するために使用され、リソースグループはリソースを含み、第２のパラメータは、リソースグループ中のリソースを判定するために使用されるか、または第１のパラメータは、リソースの基本リソースインデックス値を判定するために使用され、第２のパラメータは、リソースのオフセットリソースインデックス値を判定するために使用される。
【００７１】
第６の態様の第１の可能な実装に関して、第２の可能な実装では、ターゲットパラメータは第１のパラメータを含み、判定ユニットは、ダウンリンクリソースに基づいて第２のパラメータを判定するようにさらに構成され、ダウンリンクリソースは、端末に対応するダウンリンク制御信号の周波数ドメインリソース、ダウンリンク制御信号の時間ドメインリソース、ダウンリンク制御信号のコードドメインリソース、ダウンリンク制御信号のポート番号、ダウンリンク制御信号に対応するダウンリンクデータの周波数ドメインリソース、ダウンリンク制御信号に対応するダウンリンクデータの時間ドメインリソース、ダウンリンク制御信号に対応するダウンリンクデータのコードドメインリソース、およびダウンリンク制御信号に対応するダウンリンクデータのポート番号のうちの１つまたは複数を含む。
【００７２】
第６の態様の第２の可能な実装に関して、第３の可能な実装では、判定ユニットは、ダウンリンクリソースの開始ロケーションまたは終了ロケーションに基づいて第２のパラメータを判定するように特に構成される。
【００７３】
第６の態様の第１の可能な実装に関して、第４の可能な実装では、ターゲットパラメータは第２のパラメータを含み、判定ユニットは、ダウンリンクリソースに基づいて第１のパラメータを判定するようにさらに構成され、ダウンリンクリソースは、端末に対応するダウンリンク制御信号の周波数ドメインリソース、ダウンリンク制御信号の時間ドメインリソース、ダウンリンク制御信号のコードドメインリソース、ダウンリンク制御信号のポート番号、ダウンリンク制御信号に対応するダウンリンクデータの周波数ドメインリソース、ダウンリンク制御信号に対応するダウンリンクデータの時間ドメインリソース、ダウンリンク制御信号に対応するダウンリンクデータのコードドメインリソース、およびダウンリンク制御信号に対応するダウンリンクデータのポート番号のうちの１つまたは複数を含む。
【００７４】
第６の態様の第４の可能な実装に関して、第５の可能な実装では、判定ユニットは、ダウンリンクリソースの開始ロケーションまたは終了ロケーションに基づいて第１のパラメータを判定するように特に構成される。
【００７５】
第６の態様の第２または第３の可能な実装に関して、第６の可能な実装では、判定ユニットは、ターゲットパラメータおよび第２のパラメータに基づいてリソースを判定するようにさらに構成される。
【００７６】
第６の態様の第４または第５の可能な実装に関して、第７の可能な実装では、判定ユニットは、ターゲットパラメータおよび第１のパラメータに基づいてリソースを判定するようにさらに構成される。
【００７７】
第６の態様、または第６の態様の第１から第７の可能な実装のうちのいずれか１つに関して、第８の可能な実装では、リソースはｋ個のリソース要素グループを含み、リソース要素グループはｍ個のリソース要素を含み、ｋは正の整数であり、ｍは正の整数である。
【００７８】
第６の態様の第８の可能な実装に関して、第９の可能な実装では、アップリンク制御信号は、ダウンリンクデータ伝送が正確であるか不正確であるかを示すために使用される情報であり、端末は実行ユニットをさらに含み、実行ユニットは、ｍの値に基づいて、リソースに対応するコードワードを判定することと、ダウンリンクデータ伝送が正確であるか不正確であるかを示すために使用される情報に対して１／ｋのレートでチャネルコーディングを実施して、ｋの長さをもつビットシーケンスを取得することと、ｋの長さをもつビットシーケンスに対してＢＰＳＫ変調を実施して、ｋの長さをもつ被変調シンボルシーケンスを取得することと、コードワードを使用することによってｋの長さをもつ被変調シンボルシーケンスに対してスペクトラム拡散を実施して、ｍの長さをもつｋ個のシーケンスを取得することと、リソース中のｋ個のリソース要素グループにｍの長さをもつｋ個のシーケンスをそれぞれマッピングすることとを行うように構成される。
【００７９】
ＢＰＳＫ変調は、ダウンリンクデータ伝送が正確であるか不正確であるかを示すために使用される情報の対干渉および対雑音性能を改善し、ビット誤り率を低減するために使用され得る。
【００８０】
第６の態様の第９の可能な実装に関して、第１０の可能な実装では、ダウンリンクデータ伝送が正確であるか不正確であるかを示すために使用される情報は、ダウンリンクデータ伝送が正確であるか不正確であるかを示すために使用される複数の情報に対してＡＮＤ演算を実施することによって取得される情報である。
【００８１】
第７の態様によれば、ダウンリンクリソースに基づいて、アップリンク制御信号を送るために端末によって使用されるリソースを判定するように構成された判定ユニットであって、ダウンリンクリソースは、端末に対応するダウンリンク制御信号の周波数ドメインリソース、ダウンリンク制御信号の時間ドメインリソース、ダウンリンク制御信号のコードドメインリソース、ダウンリンク制御信号のポート番号、ダウンリンク制御信号に対応するダウンリンクデータの周波数ドメインリソース、ダウンリンク制御信号に対応するダウンリンクデータの時間ドメインリソース、ダウンリンク制御信号に対応するダウンリンクデータのコードドメインリソース、およびダウンリンク制御信号に対応するダウンリンクデータのポート番号のうちの１つまたは複数を含む、判定ユニットと、リソース上でアップリンク制御信号を伝送するように構成された伝送ユニットとを含む、アップリンク制御信号伝送装置が提供される。
【００８２】
第７の態様において提供される装置中のユニットは、第３の態様において提供される方法を実施するように構成される。したがって、装置の有益な効果については、第３の態様において提供される方法の有益な効果を参照されたい。詳細についてここで再び説明されない。
【００８３】
第７の態様に関して、第１の可能な実装では、判定ユニットは、ダウンリンクリソースに基づいて、アップリンク制御信号を送るために端末によって使用されるリソースに対応する第１のパラメータおよび第２のパラメータを判定することであって、リソースに対応する第１のパラメータは、リソースグループを判定するために使用され、リソースグループはリソースを含み、リソースに対応する第２のパラメータは、リソースグループ中のリソースを判定するために使用されるか、またはリソースに対応する第１のパラメータは、リソースの基本リソースインデックス値を判定するために使用され、リソースに対応する第２のパラメータは、リソースのオフセットリソースインデックス値を判定するために使用される、判定することと、リソースに対応する第１のパラメータおよび第２のパラメータに基づいてリソースを判定することとを行うように特に構成される。
【００８４】
第７の態様の第１の可能な実装に関して、第２の可能な実装では、判定ユニットは、ダウンリンクリソースの開始ロケーションまたは終了ロケーションに基づいて、アップリンク制御信号を送るために端末によって使用されるリソースに対応する第１のパラメータおよび第２のパラメータを判定するように特に構成される。
【００８５】
第７の態様、または第７の態様の第１または第２の可能な実装のうちのいずれか１つに関して、第３の可能な実装では、リソースはｋ個のリソース要素グループを含み、リソース要素グループはｍ個のリソース要素を含み、ｋは正の整数であり、ｍは正の整数である。
【００８６】
第７の態様、または第７の態様の第１から第３の可能な実装のうちのいずれか１つに関して、第４の可能な実装では、装置は端末であり、伝送ユニットは、基地局によって送られたダウンリンク制御信号およびダウンリンク制御信号に対応するダウンリンクデータを受信するようにさらに構成される。
【００８７】
第７の態様の第３の可能な実装に関して、第５の可能な実装では、アップリンク制御信号は、ダウンリンクデータ伝送が正確であるか不正確であるかを示すために使用される情報であり、装置は端末であり、装置は実行ユニットをさらに含み、実行ユニットは、ｍの値に基づいて、リソースに対応するコードワードを判定することと、ダウンリンクデータ伝送が正確であるか不正確であるかを示すために使用される情報に対して１／ｋのレートでチャネルコーディングを実施して、ｋの長さをもつビットシーケンスを取得することと、ｋの長さをもつビットシーケンスに対してＢＰＳＫ変調を実施して、ｋの長さをもつ被変調シンボルシーケンスを取得することと、コードワードを使用することによってｋの長さをもつ被変調シンボルシーケンスに対してスペクトラム拡散を実施して、ｍの長さをもつｋ個のシーケンスを取得することと、リソース中のｋ個のリソース要素グループにｍの長さをもつｋ個のシーケンスをそれぞれマッピングすることとを行うように構成される。
【００８８】
ＢＰＳＫ変調は、ダウンリンクデータ伝送が正確であるか不正確であるかを示すために使用される情報の対干渉および対雑音性能を改善し、ビット誤り率を低減するために使用され得る。
【００８９】
第７の態様の第５の可能な実装に関して、第６の可能な実装では、ダウンリンクデータ伝送が正確であるか不正確であるかを示すために使用される情報は、ダウンリンクデータ伝送が正確であるか不正確であるかを示すために使用される複数の情報に対してＡＮＤ演算を実施することによって取得される情報である。
【００９０】
第８の態様によれば、アップリンク制御信号を送るために端末によって使用されるリソースを判定するように構成された判定ユニットであって、リソースはｋ個のリソース要素グループを含み、リソース要素グループはｍ個のリソース要素を含み、ｋは正の整数であり、ｍは正の整数である、判定ユニットと、リソース上でアップリンク制御信号を伝送するように構成された伝送ユニットとを含む、アップリンク制御信号伝送装置が提供される。
【００９１】
第８の態様において提供される装置中のユニットは、第４の態様において提供される方法を実施するように構成される。したがって、装置の有益な効果については、第４の態様において提供される方法の有益な効果を参照されたい。詳細についてここで再び説明されない。
【００９２】
第８の態様に関して、第１の可能な実装では、ｋ個のリソース要素グループは、周波数ドメイン中で連続しない。
【００９３】
第８の態様または第８の態様の第１の可能な実装に関して、第２の可能な実装では、リソースに対応するｋおよびｍの値は、アップリンク制御信号のコンテンツに基づいて判定され、アップリンク制御信号のコンテンツは、ダウンリンクデータ伝送が正確であるか不正確であるかを示すために使用される情報、ダウンリンクチャネル状態情報、およびアップリンクスケジューリング要求のコンテンツのうちの１つまたは複数を含む。
【００９４】
ｋおよびｍの値は、アップリンク制御信号の様々なコンテンツに動的に適応するように、アップリンク制御信号のコンテンツに基づいて判定される。固定値のｋおよびｍと比較して、これは、アップリンク制御信号のコンテンツのビット量が比較的小さいとき、リソース浪費を回避し、また、アップリンク制御信号のコンテンツが比較的大きいビット量を有するとき、アップリンク制御信号の伝送信頼性を保証することができる。
【００９５】
第８の態様または第８の態様の第１の可能な実装に関して、第３の可能な実装では、リソースに対応するｋおよびｍの値は、アップリンク制御信号に対応するダウンリンクデータのサービスタイプに基づいて判定され、アップリンク制御信号に対応するダウンリンクデータのサービスタイプは、モバイルブロードバンドサービスタイプ、低遅延サービスタイプ、高信頼性サービスタイプ、およびモノのインターネットサービスタイプのサービスタイプのうちの１つまたは複数を含む。
【００９６】
ｋおよびｍの値は、異なるサービスタイプのサービス要件により良く適応するように、アップリンク制御信号に対応するダウンリンクデータのサービスタイプに基づいて判定される。
【００９７】
第８の態様または第８の態様の第１の可能な実装に関して、第４の可能な実装では、リソースに対応するｋおよびｍの値は、アップリンクチャネル品質に基づいて判定される。
【００９８】
ｋおよびｍの値は、伝送信頼性を保証しながらできる限りリソース浪費を回避するように、アップリンクチャネル品質に基づいて判定される。
【００９９】
第８の態様、または第８の態様の第１から第４の可能な実装のうちのいずれか１つに関して、第５の可能な実装では、判定ユニットは、リソースに対応するｍの値に基づいて、リソースに対応するコードワードを判定するようにさらに構成され、伝送ユニットは、リソースに対応するコードワードを使用することによってリソース上でアップリンク制御信号を伝送するように特に構成される。
【０１００】
アップリンク制御信号は、相互干渉を引き起こすことなしに、同じ時間ドメインリソース、周波数ドメインリソース、およびアンテナポート上で複数のアップリンク制御信号を伝送するために、直交コードを使用することによって伝送される。これは、より多くのアップリンク制御信号を伝送するように、システム容量を改善するのを助ける。
【０１０１】
第８の態様、または第８の態様の第１から第４の可能な実装のうちのいずれか１つに関して、第６の可能な実装では、判定ユニットは、リソース、アップリンク制御信号のコンテンツ、アップリンク制御信号に対応するダウンリンクデータのサービスタイプ、およびアップリンク制御信号に対応するダウンリンクデータの制御シグナリングのうちの１つまたは複数に基づいて、リソースに対応するアンテナポートを判定するようにさらに構成され、伝送ユニットは、リソースに対応するアンテナポートを使用することによってリソース上でアップリンク制御信号を伝送するように特に構成される。
【０１０２】
アップリンク制御信号は、アップリンク制御信号を送るために端末によって使用されるリソースに対応するアンテナポートを使用することによって、アップリンク制御信号を送るために端末によって使用されるリソース上で伝送される。これは、より多くのアップリンク制御信号を伝送するように、システム容量をさらに拡張することができる。
【０１０３】
第８の態様の第５の可能な実装に関して、第７の可能な実装では、判定ユニットは、リソース、アップリンク制御信号のコンテンツ、アップリンク制御信号に対応するダウンリンクデータのサービスタイプ、およびアップリンク制御信号に対応するダウンリンクデータの制御シグナリングのうちの１つまたは複数に基づいて、リソースに対応するアンテナポートを判定するようにさらに構成され、伝送ユニットは、リソースに対応するコードワードおよびアンテナポートを使用することによってリソース上でアップリンク制御信号を伝送するように特に構成される。
【０１０４】
アップリンク制御信号は、アップリンク制御信号を送るために端末によって使用されるリソースに対応するコードワードおよびアンテナポートを使用することによって、アップリンク制御信号を送るために端末によって使用されるリソース上で伝送される。これは、より多くのアップリンク制御信号を伝送するように、システム容量を効果的に拡張することができる。
【０１０５】
第８の態様、または第８の態様の第１から第７の可能な実装のうちのいずれか１つに関して、第８の可能な実装では、リソース要素グループにおいて、データを搬送するために使用されるリソース要素の量対復調基準信号を搬送するために使用されるリソース要素の量の比は２：１であるか、またはリソース要素グループ中に含まれるリソース要素の量対復調基準信号を搬送するために使用されリソース要素グループに対応するリソース要素の量の比は２：１である。
【０１０６】
第８の態様、または第８の態様の第１から第８の可能な実装のうちのいずれか１つに関して、第９の可能な実装では、装置は基地局であり、伝送ユニットは、端末に指示メッセージを送ることであって、指示メッセージは、リソースに対応するｋおよび／またはｍの値を示すために使用される、送ることを行うようにさらに構成される。
【０１０７】
第８の態様、または第８の態様の第１から第８の可能な実装のうちのいずれか１つに関して、第１０の可能な実装では、装置は端末であり、伝送ユニットは、基地局によって送られた指示メッセージを受信するようにさらに構成され、判定ユニットは、指示メッセージに基づいて、アップリンク制御信号を送るために使用されるリソースに対応するパラメータの値を判定することであって、パラメータはｋおよび／またはｍを含む、判定することを行うようにさらに構成され、判定ユニットは、リソースに対応するパラメータの値に基づいてリソースを判定するように特に構成される。
【０１０８】
第８の態様の第５または第７の可能な実装に関して、第１１の可能な実装では、アップリンク制御信号は、ダウンリンクデータ伝送が正確であるか不正確であるかを示すために使用される情報であり、装置は端末であり、装置は実行ユニットをさらに含み、実行ユニットは、ダウンリンクデータ伝送が正確であるか不正確であるかを示すために使用される情報に対して１／ｋのレートでチャネルコーディングを実施して、ｋの長さをもつビットシーケンスを取得することと、ｋの長さをもつビットシーケンスに対してＢＰＳＫ変調を実施して、ｋの長さをもつ被変調シンボルシーケンスを取得することと、コードワードを使用することによってｋの長さをもつ被変調シンボルシーケンスに対してスペクトラム拡散を実施して、ｍの長さをもつｋ個のシーケンスを取得することと、ｋ個のリソース要素グループにｍの長さをもつｋ個のシーケンスをそれぞれマッピングすることとを行うように構成される。
【０１０９】
ＢＰＳＫ変調は、ダウンリンクデータ伝送が正確であるか不正確であるかを示すために使用される情報の対干渉および対雑音性能を改善し、ビット誤り率を低減するために使用され得る。
【０１１０】
第８の態様の第１１の可能な実装に関して、第１２の可能な実装では、ダウンリンクデータ伝送が正確であるか不正確であるかを示すために使用される情報は、ダウンリンクデータ伝送が正確であるか不正確であるかを示すために使用される複数の情報に対してＡＮＤ演算を実施することによって取得される情報である。
【０１１１】
第９の態様によれば、プロセッサ、メモリ、バス、および通信インターフェースを含む基地局が提供され、メモリは、コンピュータ実行可能命令を記憶するように構成され、プロセッサおよびメモリは、バスを使用することによって接続され、プロセッサは、メモリに記憶されたコンピュータ実行可能命令に基づいて、第１の態様において提供されるいずれかのリソース指示方法を実施する。
【０１１２】
第９の態様において提供される基地局中の構成要素は、第１の態様において提供される方法を実施するように構成される。したがって、基地局の有益な効果については、第１の態様において提供される方法の有益な効果を参照されたい。詳細についてここで再び説明されない。
【０１１３】
第１０の態様によれば、プロセッサ、メモリ、バス、および通信インターフェースを含む端末が提供され、メモリは、コンピュータ実行可能命令を記憶するように構成され、プロセッサおよびメモリは、バスを使用することによって接続され、プロセッサは、メモリに記憶されたコンピュータ実行可能命令に基づいて、第２の態様において提供されるいずれかのリソース指示方法を実施する。
【０１１４】
第１０の態様において提供される端末中の構成要素は、第２の態様において提供される方法を実施するように構成される。したがって、端末の有益な効果については、第２の態様において提供される方法の有益な効果を参照されたい。詳細についてここで再び説明されない。
【０１１５】
第１１の態様によれば、プロセッサ、メモリ、バス、および通信インターフェースを含むアップリンク制御信号伝送装置が提供され、メモリは、コンピュータ実行可能命令を記憶するように構成され、プロセッサおよびメモリは、バスを使用することによって接続され、プロセッサは、メモリに記憶されたコンピュータ実行可能命令に基づいて、第３の態様において提供されるいずれかのアップリンク制御信号伝送方法を実施する。
【０１１６】
第１１の態様において提供される装置中の構成要素は、第３の態様において提供される方法を実施するように構成される。したがって、装置の有益な効果については、第３の態様において提供される方法の有益な効果を参照されたい。詳細についてここで再び説明されない。
【０１１７】
第１２の態様によれば、プロセッサ、メモリ、バス、および通信インターフェースを含むアップリンク制御信号伝送装置が提供され、メモリは、コンピュータ実行可能命令を記憶するように構成され、プロセッサおよびメモリは、バスを使用することによって接続され、プロセッサは、メモリに記憶されたコンピュータ実行可能命令に基づいて、第４の態様において提供されるいずれかのアップリンク制御信号伝送方法を実施する。
【０１１８】
第１２の態様において提供される装置中の構成要素は、第４の態様において提供される方法を実施するように構成される。したがって、装置の有益な効果については、第４の態様において提供される方法の有益な効果を参照されたい。詳細についてここで再び説明されない。
【図面の簡単な説明】
【０１１９】
【図１】５Ｇ  ＮＲにおける新しいサブフレーム／タイムスロット構造の概略組成図である。
【図２】本発明の一実施形態によるリソース指示方法のフローチャートである。
【図３】本発明の一実施形態による複数のサブフレーム／タイムスロットの概略図である。
【図４】本発明の一実施形態によるサブフレーム／タイムスロット中のダウンリンクデータ領域に対応する周波数ドメインリソースをグループ化する概略図である。
【図５】本発明の一実施形態によるサブフレーム／タイムスロット中のダウンリンクデータ領域に対応する時間周波数リソースをグループ化する概略図である。
【図６】本発明の一実施形態による２つのアンテナポートに対応するサブフレーム／タイムスロット中のダウンリンクデータ領域に対応する周波数ドメインリソースをグループ化する概略図である。
【図７】本発明の一実施形態によるアップリンク制御信号伝送方法のフローチャートである。
【図８】ＬＴＥシステムにおけるサブフレームの概略組成図である。
【図９】ＬＴＥシステムにおけるサブフレーム中のＰＵＣＣＨリソースの時間周波数ロケーション分布の概略図である。
【図１０】本発明の一実施形態によるアップリンク制御信号伝送方法のフローチャートである。
【図１１】本発明の一実施形態によるリソース要素グループの概略組成図である。
【図１２】本発明の一実施形態によるリソース要素グループの概略組成図である。
【図１３】本発明の一実施形態によるリソース要素グループの概略組成図である。
【図１４】本発明の一実施形態によるリソース要素グループの概略組成図である。
【図１５】本発明の一実施形態による周波数ドメイン中のリソース要素グループの概略分布図である。
【図１６】本発明の一実施形態による基地局の概略組成図である。
【図１７】本発明の一実施形態による端末の概略組成図である。
【図１８】本発明の一実施形態によるアップリンク制御信号伝送装置の概略組成図である。
【図１９】本発明の一実施形態によるアップリンク制御信号伝送装置の概略組成図である。
【図２０】本発明の一実施形態によるアップリンク制御信号伝送装置の概略組成図である。
【図２１】本発明の一実施形態によるアップリンク制御信号伝送装置の概略組成図である。
【図２２】本発明の一実施形態による装置の概略組成図である。
【発明を実施するための形態】
【０１２０】
本明細書における「および／または」という用語は、関連する対象を記述するための関連付け関係のみを記述し、３つの関係が存在し得ることを表す。たとえば、Ａおよび／またはＢは、Ａのみが存在する、ＡとＢの両方が存在する、およびＢのみが存在するという、３つの場合を表し得る。加えて、本明細書における「／」という文字は、通常、前者の関連する対象と後者の関連する対象との間の「または」関係を示す。本発明の実施形態の説明では、「サブフレーム／タイムスロット」は、サブフレームまたはタイムスロットを意味する。以下のコンテキストにおいて、先行する部分において説明される「サブフレーム／タイムスロット」がサブフレームを意味する場合、後続する部分において説明される「サブフレーム／タイムスロット」もサブフレームを意味するか、または先行する部分において説明される「サブフレーム／タイムスロット」がタイムスロットを意味する場合、後続する部分において説明される「サブフレーム／タイムスロット」もタイムスロットを意味する。本明細書における「複数」は、少なくとも２つを意味する。
【０１２１】
新世代５Ｇ技術が議論段階に入るにつれて、第３世代パートナーシッププロジェクト（３ｒｄ  Ｇｅｎｅｒａｔｉｏｎ  Ｐａｒｔｎｅｒｓｈｉｐ  Ｐｒｏｊｅｃｔ、略して３ＧＰＰ）団体には、現在、後方互換性が考慮される研究方向、および後方互換性が考慮されない研究方向という、２つの研究方向がある。後方互換性が考慮されない研究方向は５Ｇ  ＮＲと呼ばれる。
【０１２２】
５Ｇ  ＮＲの議論過程において、新しいサブフレーム／タイムスロット構造が提案されている。図１を参照すると、新しいサブフレーム／タイムスロット構造は、ダウンリンク集中自己完結型（downlink-focused self-contained）サブフレーム／タイムスロットおよびアップリンク集中自己完結型（uplink-focused self-contained）サブフレーム／タイムスロットを含む。ダウンリンク集中自己完結型サブフレーム／タイムスロットは、ダウンリンクデータを伝送するために主に使用されるサブフレーム／タイムスロットであり、アップリンク集中自己完結型サブフレーム／タイムスロットは、アップリンクデータを伝送するために主に使用されるサブフレーム／タイムスロットである。
【０１２３】
ダウンリンク集中自己完結型サブフレーム／タイムスロットおよびアップリンク集中自己完結型サブフレーム／タイムスロットは、ダウンリンク制御領域（Ｄｏｗｎｌｉｎｋ  ｃｏｎｔｒｏｌ  ｒｅｇｉｏｎ）、アップリンク制御領域（Ｕｐｌｉｎｋ  ｃｏｎｔｒｏｌ  ｒｅｇｉｏｎ）、およびガード期間（Ｇｕａｒｄ  Ｐｅｒｉｏｄ、略してＧＰ）をそれぞれ含む。アップリンク制御領域は、基地局にアップリンク制御信号を送るために端末によって使用され得る。ダウンリンク集中自己完結型サブフレーム／タイムスロットは、ダウンリンクデータを伝送するために基地局によって使用される、ダウンリンクデータ領域（Ｄｏｗｎｌｉｎｋ  ｄａｔａ  ｒｅｇｉｏｎ）をさらに含む。アップリンク集中自己完結型サブフレーム／タイムスロットは、アップリンクデータを伝送するために端末によって使用される、アップリンクデータ領域（Ｕｐｌｉｎｋ  ｄａｔａ  ｒｅｇｉｏｎ）をさらに含む。いくつかの場合には、アップリンク制御領域は、代替としてアップリンクデータ領域によって占有されることがある。
【０１２４】
本発明の一実施形態はリソース指示方法を提供する。図２に示されているように、本方法は以下のステップを含む。
【０１２５】
２０１．基地局が、アップリンク制御信号を送るために端末によって使用されるリソースを判定する。
【０１２６】
本発明のこの実施形態において提供される方法は、ＬＴＥシステムおよび将来の５Ｇ通信システムに適用されてよく、特に、将来の５Ｇ通信システムに適用されてよい。
【０１２７】
任意選択で、アップリンク制御信号を送るために端末によって使用されるリソースはｋ個のリソース要素グループを含み、リソース要素グループはｍ個のリソース要素を含み、ｋは正の整数であり、ｍは正の整数である。
【０１２８】
リソース要素グループ中に含まれるリソース要素は、５Ｇ  ＮＲにおいて提案されているサブフレーム／タイムスロット中のアップリンク制御領域中のリソース要素であり得る。異なる端末のために基地局によって判定され、アップリンク制御信号を送るために端末によって使用されるリソースは、同じ量または異なる量のリソース要素グループを含むことがあり、リソース要素グループは、同じ量または異なる量のリソース要素を含むことがある。
【０１２９】
２０２．基地局が端末に指示情報を送る。
【０１３０】
２０３．端末が、基地局によって送られた指示情報を受信し、指示情報に基づいて、アップリンク制御信号を送るために端末によって使用されるリソースを判定するか、または端末が、指示情報に基づいて、ターゲットパラメータを判定し、ターゲットパラメータが、アップリンク制御信号を送るために端末によって使用されるリソースを判定するために使用されるパラメータのうちの少なくとも１つを含む。
【０１３１】
任意選択で、特定の実装では、ステップ２０２は、基地局によって端末に、指示情報を含む無線リソース制御（Ｒａｄｉｏ  Ｒｅｓｏｕｒｃｅ  Ｃｏｎｔｒｏｌ、略してＲＲＣ）メッセージまたはダウンリンク制御シグナリングを送るステップを含み得る。この場合、ステップ２０３の特定の実装では、端末も、ＲＲＣメッセージまたはダウンリンク制御シグナリングを受信することによって指示情報を受信する。
【０１３２】
特に、指示情報は、アップリンク制御信号を送るために端末によって使用されるリソースのインデックス値を含み得る。この場合、端末は、インデックス値に基づいて、アップリンク制御信号を送るために使用されるリソースを直接判定する。たとえば、１つのサブフレーム／タイムスロット中に、アップリンク制御信号を送るために使用される合計３２個のリソースがある場合、３２個のリソースは、それぞれ、インデックス値０、１、２、…、３０、および３１に対応する。指示情報は、リソースのインデックス値を示すために使用される５ビットを含むことがある。たとえば、５ビットの値が１１１１１であるとき、指示情報によって示されるリソースは、インデックス値が３１であるリソースであるか、または５ビットの値が０００００であるとき、指示情報によって示されるリソースは、インデックス値が０であるリソースである。
【０１３３】
指示情報はターゲットパラメータをさらに含み得る。この場合、端末は、ターゲットパラメータに基づいて、アップリンク制御信号を送るために使用されるリソースを判定し得る。
【０１３４】
端末が、アップリンク制御信号を送るために使用されるリソースを判定した後に、端末は、そのリソース上で基地局にアップリンク制御信号を送る。対応して、基地局は、そのリソース上で、端末によって送られたアップリンク制御信号を受信する。
【０１３５】
本発明のこの実施形態における提供される方法によれば、基地局は、アップリンク制御信号を送るために使用されるリソースを端末に示し得、それにより、端末は、アップリンク制御信号を送るために使用されるリソースを判定するか、または基地局は、リソースを判定するために使用される少なくとも１つのパラメータを端末に示し得、それにより、端末は、少なくとも１つのパラメータに基づいてリソースを判定する。端末は、端末のダウンリンクデータをスケジュールするために使用されるダウンリンク制御シグナリングによって占有される第１のＣＣＥのロケーションを使用することによって、アップリンク制御信号を送るために使用されるリソースをもはや判定しない。したがって、異なるサブフレーム／タイムスロット中で基地局によって２つの端末に送られるダウンリンクデータについて、ダウンリンクデータ伝送が正確であるか不正確であるかを示すために使用される情報が同じサブフレーム／タイムスロット中でフィードバックされる必要がある場合、基地局は、異なるサブフレーム／タイムスロット中で２つの端末のダウンリンクデータをスケジュールするために使用されるダウンリンク制御シグナリングによって占有される第１のＣＣＥのロケーションが同じである場合でも、アップリンク制御信号を送るために異なるリソースを２つの端末に依然として割り振り得る。基地局は、アップリンク制御信号を送るために使用されるリソース、またはそのリソースを判定するために使用される少なくとも１つのパラメータを２つの端末に示し、それにより、２つの端末は異なるリソースを判定する。これは、基地局のフレキシブルなリソーススケジューリングを保証しながら、リソース競合を防止する。
【０１３６】
任意選択で、アップリンク制御信号を送るために端末によって使用されるリソースを判定するために使用されるパラメータは、第１のパラメータおよび第２のパラメータを含む。第１のパラメータは、リソースグループを判定するために使用され、リソースグループは、アップリンク制御信号を送るために端末によって使用されるリソースを含み、第２のパラメータは、リソースグループ中で、アップリンク制御信号を送るために端末によって使用されるリソースを判定するために使用される。代替として、第１のパラメータは、アップリンク制御信号を送るために端末によって使用されるリソースの基本リソースインデックス値を判定するために使用され、第２のパラメータは、アップリンク制御信号を送るために端末によって使用されるリソースのオフセットリソースインデックス値を判定するために使用される。
【０１３７】
特に、アップリンク制御信号を送るために端末によって使用されるリソースに対応する第１のパラメータが、リソースグループを判定するために使用され、アップリンク制御信号を送るために端末によって使用されるリソースに対応する第２のパラメータが、リソースグループ中で、アップリンク制御信号を送るために端末によって使用されるリソースを判定するために使用されるとき、アップリンク制御信号を送るために使用されるサブフレーム／タイムスロット中のリソースは事前にグループ化されてよく、グループ中のリソースは番号を付けられる。各グループは１つのグループ番号に対応し、各グループ内リソースは１つの番号に対応する。たとえば、アップリンク制御信号を送るために使用される合計６４個のリソースがサブフレーム／タイムスロット中に構成された場合、アップリンク制御信号を送るために使用される６４個のリソースは４つのグループに分割されてよく、各グループは１６個のリソースを含み、１６個のリソースの番号は０、１、２、…、および１５である。この場合、第１のパラメータはグループ番号を示すために使用されることがあり、第２のパラメータはグループ内番号を示すために使用されることがある。たとえば、第１のパラメータによって示される情報が１であり、第２のパラメータによって示される情報が１５である場合、それは、アップリンク制御信号を送るために端末によって使用されるリソースが、グループ１のリソースの中で１５の番号を付けられたリソースであることを示す。
【０１３８】
たとえば、図３に示されているように、図３における１つの矩形ブロックは、１つのサブフレーム／タイムスロットを示す。サブフレーム０／タイムスロット０、サブフレーム１／タイムスロット１、サブフレーム２／タイムスロット２、およびサブフレーム３／タイムスロット３中でダウンリンクデータを受信するすべての端末が、サブフレーム３／タイムスロット３中で、ダウンリンクデータ伝送が正確であるか不正確であるかを示すために使用される情報をフィードバックする必要がある場合、ある事例では、アップリンク制御信号を送るために使用されるサブフレーム３／タイムスロット３中のリソースは４つのグループに分割されることがある。各グループは複数のリソースを含む。リソースのグループは、ダウンリンクデータ伝送が正確であるか不正確であるかを示すために使用される情報をフィードバックするために、同じサブフレーム／タイムスロット中でダウンリンクデータを受信する端末の全部または一部によって使用される。基地局は、各サブフレーム／タイムスロット中でグループ番号を送ることがあり（たとえば、ダウンリンク制御シグナリング、ＲＲＣメッセージ、またはシステムメッセージを使用することによってグループ番号を送り、システムメッセージはマスタ情報ブロック（Ｍａｓｔｅｒ  Ｉｎｆｏｒｍａｔｉｏｎ  Ｂｌｏｃｋ、略してＭＩＢ）またはシステム情報ブロック（Ｓｙｓｔｅｍ  Ｉｎｆｏｒｍａｔｉｏｎ  Ｂｌｏｃｋ、略してＳＩＢ）であり得）、それにより、端末は、端末によってリソースのどのグループが使用されるかを判定する。基地局は、特定の端末に、グループ内番号を搬送するダウンリンク制御シグナリングまたはＲＲＣメッセージを送ることがあり、それにより、端末は、端末によってグループ中のどのリソースが使用されるかを判定する。
【０１３９】
基地局が、サブフレーム／タイムスロット中で、アップリンク制御信号を送るために使用されるリソースをグループ化するとき、グループ化を通して取得されるグループ中のリソースの量は、同じであってよく、または異なってよいことに留意されたい。これは、本発明のこの実施形態では特に限定されない。たとえば、アップリンク制御信号を送るために使用されるサブフレーム／タイムスロット中のリソースがグループ化されるとき、リソースは、１：３：３：１のリソース量比に基づいてグループ化されることがあり、グループ０のリソースはサブフレーム０／タイムスロット０に対応し、グループ１のリソースはサブフレーム１／タイムスロット１に対応し、グループ２のリソースはサブフレーム２／タイムスロット２に対応し、グループ３のリソースはサブフレーム３／タイムスロット３に対応する。１：３：３：１の比を使用する理由は、ダウンリンクデータを受信した後に、端末は、極めて長時間または極めて短時間の後に、ダウンリンクデータ伝送が正確であるか不正確であるかを示すために使用される情報をフィードバックすることが滅多になく、したがって、比較的少量のリソースがそのようなサブフレーム／タイムスロットに割り振られるからである。もちろん、これは、これらのリソースが、アップリンク制御信号を送るために使用されるサブフレーム３／タイムスロット３中のリソースである場合に特有にすぎない。
【０１４０】
代替として、第１のパラメータはグループ番号でないことがあるが、リソースをグループ化するために使用され、基地局によって端末に送られる必要パラメータである。基地局および端末は、同じポリシーを使用することによって、およびリソースをグループ化するために使用される必要パラメータに基づいてリソースをグループ化する。リソースグループを判定した後に、端末は、アップリンク制御信号を送るために端末によって使用されるリソースが属するリソースのグループをそれ自体で判定する。たとえば、必要パラメータは、グループの量、グループ化ルール（たとえば、リソースがそれに基づいてグループ化される比）、ならびに割り振られたリソースが属するサブフレーム／タイムスロットと、端末がダウンリンクデータをその中で受信するサブフレーム／タイムスロットとの間の時間間隔を含み得る。次いで、端末は、グループの量およびグループ化ルールに基づいて、端末がアップリンク制御信号をその中で送るサブフレーム／タイムスロット中のリソースをグループ化して、グループ化結果を取得し、次いで、割り振られたリソースが属するサブフレーム／タイムスロットと、端末がダウンリンクデータをその中で受信するサブフレーム／タイムスロットとの間の時間間隔に基づいて、アップリンク制御信号を送るために端末によって使用されるリソースが属するリソースのグループのグループ番号を判定し得る。
【０１４１】
アップリンク制御信号を送るために端末によって使用されるリソースに対応する第１のパラメータが、リソースの基本リソースインデックス値を判定するために使用され、第２のパラメータが、リソースのオフセットリソースインデックス値を判定するために使用されるとき、アップリンク制御信号を送るために使用されるサブフレーム／タイムスロット中のリソースのインデックス値はプリセットされ得る。たとえば、アップリンク制御信号を送るために使用される合計６４個のリソースがサブフレーム／タイムスロット中に構成された場合、６４個のリソースのインデックス値は、１、２、…、６３、および６４であり得る。この場合、第１のパラメータによって示される情報は基本リソースインデックス値であることがあり、第２のパラメータによって示される情報はオフセットリソースインデックス値であることがあり、基本リソースインデックス値とオフセットリソースインデックス値との和がリソースのインデックス値である。たとえば、第１のパラメータによって示される情報が３２であり、第２のパラメータによって示される情報が４である場合、それは、アップリンク制御信号を送るために端末によって使用されるリソースが、インデックス値が３６であるリソースであることを示す。
【０１４２】
図３に示されている例に基づいて、同じサブフレーム／タイムスロット中でダウンリンクデータを受信する端末は、同じ基本リソースインデックス値を使用し得る。この場合、基地局は、各サブフレーム／タイムスロット中で基本リソースインデックス値を送ることがあり（たとえば、ダウンリンク制御シグナリング、ＲＲＣメッセージ、またはシステムメッセージを使用することによって基本リソースインデックス値を送り、システムメッセージはＭＩＢまたはＳＩＢであり得）、それにより、端末は、端末によって使用される基本リソースインデックス値を判定する。基地局は、特定の端末に、オフセットリソースインデックス値を搬送するダウンリンク制御シグナリングまたはＲＲＣメッセージを送り得る。端末は、アップリンク制御信号を送るために端末によって使用されるリソースのインデックス値として、基本リソースインデックス値とオフセットリソースインデックス値との和を判定し得る。
【０１４３】
任意選択で、ターゲットパラメータは第１のパラメータを含む。特定の実装では、ステップ２０１は、基地局によって第１のパラメータを判定するステップと、基地局によって、ダウンリンクリソースに基づいて第２のパラメータを判定するステップと、第１のパラメータおよび第２のパラメータに基づいて基地局によって、アップリンク制御信号を送るために端末によって使用されるリソースを判定するステップとを含み得る。
【０１４４】
特に、ダウンリンクリソースは、端末に対応するダウンリンク制御信号の周波数ドメインリソース、ダウンリンク制御信号の時間ドメインリソース、ダウンリンク制御信号のコードドメインリソース、ダウンリンク制御信号のポート番号、ダウンリンク制御信号に対応するダウンリンクデータの周波数ドメインリソース、ダウンリンク制御信号に対応するダウンリンクデータの時間ドメインリソース、ダウンリンク制御信号に対応するダウンリンクデータのコードドメインリソース、およびダウンリンク制御信号に対応するダウンリンクデータのポート番号のうちの１つまたは複数を含む。
【０１４５】
特に、基地局は、端末のためにリソースをスケジュールする処理において第１のパラメータを判定し、たとえば、アップリンク制御信号を送るために使用される１つのサブフレーム／タイムスロット中のリソースをグループ化する処理において、各端末に対応する第１のパラメータを判定し得る。
【０１４６】
この場合、基地局は端末に第１のパラメータを示し、端末は、第２のパラメータをそれ自体で判定する。特に、端末によって第２のパラメータを判定するための方法は、基地局によって第２のパラメータを判定するための方法と同じであり、すなわち、端末は、ダウンリンクリソースに基づいて第２のパラメータを判定する。
【０１４７】
特に、ダウンリンクリソースがより多くのタイプのダウンリンクリソースを含むとき、ダウンリンクリソースはより多くの情報を示すことができる。
【０１４８】
任意選択で、基地局および端末がダウンリンクリソースに基づいて第２のパラメータを判定することは、ダウンリンクリソースの開始ロケーションまたは終了ロケーションに基づいて第２のパラメータを判定するステップを特に含み得る。
【０１４９】
たとえば、ダウンリンクリソースが、ダウンリンク制御信号に対応するダウンリンクデータの周波数ドメインリソースを含むとき、図４を参照すると、サブフレーム／タイムスロット中のダウンリンクデータ領域に対応する周波数ドメインリソースは、ｎ個（ｎは１よりも大きい整数である）の周波数ドメインリソースグループに分割され得る。各周波数ドメインリソースグループは、１つのグループ内リソース番号（またはオフセットリソースインデックス値）に対応する。端末は、ダウンリンクデータを受信する処理において判定され、基地局がダウンリンクデータをその上で送る周波数ドメインリソースの開始ロケーションが属する周波数ドメインリソースグループに基づいて、グループ内リソース番号（またはオフセットリソースインデックス値）を判定し得る。
【０１５０】
たとえば、リソースのグループが１６個のリソースを含むとき、ｎ＝１６であり、１つの周波数ドメインリソースグループは、リソースのグループ中の１つのリソースの番号に対応する。
【０１５１】
たとえば、ダウンリンクリソースが、ダウンリンク制御信号に対応するダウンリンクデータの周波数ドメインリソースおよび時間ドメインリソースを含むとき、図５を参照すると、サブフレーム／タイムスロット中のダウンリンクデータ領域に対応する時間周波数リソースは、ｎ個の時間周波数リソースグループに分割され得る。各時間周波数リソースグループは、１つのグループ内リソース番号（またはオフセットリソースインデックス値）に対応する。端末は、ダウンリンクデータを受信する処理において判定され、基地局がダウンリンクデータをその上で送る時間周波数リソースの開始ロケーションが属する時間周波数リソースグループに基づいて、グループ内リソース番号（またはオフセットリソースインデックス値）を判定し得る。
【０１５２】
たとえば、ダウンリンクリソースが、ダウンリンク制御信号に対応するダウンリンクデータの周波数ドメインリソース、およびダウンリンクデータのアンテナポート番号を含むとき、図６を参照すると、サブフレーム／タイムスロット中のダウンリンクデータ領域に対応する周波数ドメインリソースは、ｎ／２個の周波数ドメインリソースグループに分割され得る。２つのアンテナポート１および２がある場合、アンテナポート番号を参照してｎ個の空間周波数リソースグループが取得され得る。１つの空間周波数リソースグループは、１つのアンテナポート番号および１つの周波数ドメインリソースグループに対応する。各空間周波数リソースグループは、１つのグループ内リソース番号（またはオフセットリソースインデックス値）に対応する。端末は、アンテナポート番号および周波数ドメインリソースの開始ロケーションに基づいてグループ内リソース番号（またはオフセットリソースインデックス値）を判定することがあり、基地局は、周波数ドメインリソースおよびアンテナポート番号によって示されるアンテナポート上でダウンリンクデータを送り、アンテナポート番号および開始ロケーションは、ダウンリンクデータを受信する処理において判定される。
【０１５３】
ダウンリンクリソースを使用することによって第２のパラメータを判定するための他の方法は、上記の例における方法と同様であり、例を使用することによってここで１つずつ説明されない。
【０１５４】
端末がターゲットパラメータを受信し、第２のパラメータを判定した後に、端末は、ターゲットパラメータおよび第２のパラメータに基づいて、アップリンク制御信号を送るために端末によって使用されるリソースを判定し得る。
【０１５５】
任意選択で、ターゲットパラメータは第２のパラメータを含む。特定の実装では、ステップ２０１は、基地局によって、ダウンリンクリソースに基づいて第１のパラメータを判定するステップと、基地局によって第２のパラメータを判定するステップと、第１のパラメータおよび第２のパラメータに基づいて基地局によって、アップリンク制御信号を送るために端末によって使用されるリソースを判定するステップとを含み得る。
【０１５６】
特に、基地局は、端末のためにリソースをスケジュールする処理において第２のパラメータを判定し、たとえば、アップリンク制御信号を送るために使用される１つのサブフレーム／タイムスロット中のリソースをグループ化する処理において、各端末に対応する第２のパラメータを判定し得る。
【０１５７】
この場合、基地局は端末に第２のパラメータを示し、端末は、第１のパラメータをそれ自体で判定する。特に、端末によって第１のパラメータを判定するための方法は、基地局によって第１のパラメータを判定するための方法と同じであり、すなわち、端末は、ダウンリンクリソースに基づいて第１のパラメータを判定する。
【０１５８】
任意選択で、ダウンリンクリソースに基づいて基地局および端末によって第１のパラメータを判定するための方法は、ダウンリンクリソースの開始ロケーションまたは終了ロケーションに基づいて第１のパラメータを判定するステップを含み得る。
【０１５９】
ダウンリンクリソースに基づいて基地局および端末によって第１のパラメータを判定するための方法は、第２のパラメータを判定するための方法と同様である。詳細についてここで再び説明されない。
【０１６０】
端末がターゲットパラメータを受信し、第１のパラメータを判定した後に、端末は、ターゲットパラメータおよび第１のパラメータに基づいて、アップリンク制御信号を送るために端末によって使用されるリソースを判定し得る。
【０１６１】
ターゲットパラメータが、第１のパラメータおよび第２のパラメータのうちの一方のみを含むとき、基地局は、端末に第１のパラメータおよび第２のパラメータのうちの一方のみを示す必要がある。したがって、端末に第１のパラメータと第２のパラメータの両方を示すことと比較して、これはシグナリングオーバーヘッドを低減することができる。
【０１６２】
任意選択で、アップリンク制御信号が、ダウンリンクデータ伝送が正確であるか不正確であるかを示すために使用される情報である場合、本方法は、
ｍの値に基づいて端末によって、アップリンク制御信号を送るために端末によって使用されるリソースに対応するコードワードを判定するステップと、
端末によって、ダウンリンクデータ伝送が正確であるか不正確であるかを示すために使用される情報に対して１／ｋのレートでチャネルコーディングを実施して、ｋの長さをもつビットシーケンスを取得するステップと、
端末によって、ｋの長さをもつビットシーケンスに対して２位相シフトキーイング（Ｂｉｎａｒｙ  Ｐｈａｓｅ  Ｓｈｉｆｔ  Ｋｅｙｉｎｇ、略してＢＰＳＫ）変調を実施して、ｋの長さをもつ被変調シンボルシーケンスを取得するステップと、
端末によって、コードワードを使用することによってｋの長さをもつ被変調シンボルシーケンスに対してスペクトラム拡散を実施して、ｍの長さをもつｋ個のシーケンスを取得するステップと、
端末によって、アップリンク制御信号を送るために端末によって使用されるリソース中のｋ個のリソース要素グループにｍの長さをもつｋ個のシーケンスをそれぞれマッピングするステップと
をさらに含む。
【０１６３】
上記のマッピング処理の後に、端末は、リソース上で基地局に、ダウンリンクデータ伝送が正確であるか不正確であるかを示すために使用される情報をフィードバックし得る。ＢＰＳＫ変調は、ダウンリンクデータ伝送が正確であるか不正確であるかを示すために使用される情報の対干渉および対雑音性能を改善し、ビット誤り率を低減するために使用され得る。
【０１６４】
任意選択で、ダウンリンクデータ伝送が正確であるか不正確であるかを示すために使用される情報は、ダウンリンクデータ伝送が正確であるか不正確であるかを示すために使用される複数の情報に対してＡＮＤ演算を実施することによって取得される情報である。ダウンリンクデータ伝送が正確であるか不正確であるかを示すために使用される１つの情報は、０または１を使用することによって示される。ダウンリンクデータ伝送が正確であるか不正確であるかを示すために使用される複数の情報は、複数のアンテナポート上でまたは複数のサブフレーム／タイムスロット中で端末によって受信されるダウンリンクデータに対応する情報であり得る。この場合、端末によってフィードバックされるデータ量が低減されることが可能である。
【０１６５】
もちろん、ダウンリンクデータ伝送が正確であるか不正確であるかを示すために使用される情報は、代替として、ダウンリンクデータ伝送が正確であるか不正確であるかを示すために使用される１つの情報であり得る。
【０１６６】
本発明の一実施形態はさらに、アップリンク制御信号伝送方法を提供する。図７に示されているように、本方法は以下のステップを含む。
【０１６７】
７０１．ダウンリンクリソースに基づいて、アップリンク制御信号を送るために端末によって使用されるリソースを判定する。
【０１６８】
ダウンリンクリソースは、端末に対応するダウンリンク制御信号の周波数ドメインリソース、ダウンリンク制御信号の時間ドメインリソース、ダウンリンク制御信号のコードドメインリソース、ダウンリンク制御信号のポート番号、ダウンリンク制御信号に対応するダウンリンクデータの周波数ドメインリソース、ダウンリンク制御信号に対応するダウンリンクデータの時間ドメインリソース、ダウンリンク制御信号に対応するダウンリンクデータのコードドメインリソース、およびダウンリンク制御信号に対応するダウンリンクデータのポート番号のうちの１つまたは複数を含む。
【０１６９】
この実施形態は、基地局または端末によって実施され得る。この実施形態では、基地局は、アップリンク制御信号を送るために端末によって使用されるリソースを示すための指示情報、またはアップリンク制御信号のリソースを判定するために使用されるパラメータを示すための指示情報を、端末に送る必要がない。基地局と端末の両方が、ダウンリンクリソースに基づいて、アップリンク制御信号を送るために端末によって使用されるリソースを判定し得る。したがって、基地局は、アップリンク制御信号を送るために端末によって使用されるリソースを示すために、追加のシグナリングオーバーヘッドを必要としない。
【０１７０】
本発明のこの実施形態では、アップリンク制御信号を送るために端末によって使用されるリソースは、複数のダウンリンクリソースを使用することによって判定され得る。１つのダウンリンクリソースが元々、アップリンク制御信号を送るために使用される４つのリソースを示すことができ、別のダウンリンクリソースが元々、アップリンク制御信号を送るために使用される８つのリソースを示すことができる場合、アップリンク制御信号を送るために使用される３２個のリソースが、１つのダウンリンクリソースおよび別のダウンリンクリソースに基づいて示されることが可能である。
【０１７１】
任意選択で、リソースはｋ個のリソース要素グループを含み、リソース要素グループはｍ個のリソース要素を含み、ｋは正の整数であり、ｍは正の整数である。リソース要素グループおよびｋおよびｍの値については、以下の説明を参照されたい。
【０１７２】
任意選択で、特定の実装において、ステップ７０２は、ダウンリンクリソースに基づいて、アップリンク制御信号を送るために端末によって使用されるリソースに対応する第１のパラメータおよび第２のパラメータを判定するステップと、アップリンク制御信号を送るために端末によって使用されるリソースに対応する第１のパラメータおよび第２のパラメータに基づいて、アップリンク制御信号を送るために端末によって使用されるリソースを判定するステップとを含み得る。
【０１７３】
アップリンク制御信号を送るために端末によって使用されるリソースに対応する第１のパラメータは、リソースグループを判定するために使用され、リソースグループはアップリンク制御信号を送るために端末によって使用されるリソースを含み、アップリンク制御信号を送るために端末によって使用されるリソースに対応する第２のパラメータは、リソースグループ中の、アップリンク制御信号を送るために端末によって使用されるリソースを判定するために使用される。代替として、アップリンク制御信号を送るために端末によって使用されるリソースに対応する第１のパラメータは、アップリンク制御信号を送るために端末によって使用されるリソースの基本リソースインデックス値を判定するために使用され、アップリンク制御信号を送るために端末によって使用されるリソースに対応する第２のパラメータは、アップリンク制御信号を送るために端末によって使用されるリソースのオフセットリソースインデックス値を判定するために使用される。
【０１７４】
この場合、ダウンリンクリソースのある部分が第１のパラメータを判定するために使用されることがあり、ダウンリンクリソースの他の部分が第２のパラメータを判定するために使用されることがある。
【０１７５】
具体的には、アップリンク制御信号を送るために端末によって使用されるリソースに対応する第１のパラメータが、リソースグループを判定するために使用され、アップリンク制御信号を送るために端末によって使用されるリソースに対応する第２のパラメータが、リソースグループ中の、アップリンク制御信号を送るために端末によって使用されるリソースを判定するために使用されるとき、アップリンク制御信号を送るために使用されるサブフレーム／タイムスロット中のリソースが前もってグループ化されることがあり、グループ中のリソースが番号を付けられる。各グループが１つのグループ番号に対応し、各グループ内リソースが１つの番号に対応する。たとえば、アップリンク制御信号を送るために使用される全体で６４個のリソースがサブフレーム／タイムスロットにおいて構成される場合、アップリンク制御信号を送るために使用される６４個のリソースは４つのグループへと分割されることがあり、各グループは１６個のリソースを含み、１６個のリソースの番号は０、１、２、．．．、および１５である。この場合、第１のパラメータがグループ番号を示すために使用されることがあり、第２のパラメータがグループ内番号を示すために使用されることがある。たとえば、第１のパラメータによって示される情報が１であり、第２のパラメータによって示される情報が１５である場合、それは、アップリンク制御信号を送るために端末によって使用されるリソースが、グループ１のリソースの中で１５という番号を付けられたリソースであることを示す。
【０１７６】
アップリンク制御信号を送るために端末によって使用されるリソースに対応する第１のパラメータが、アップリンク制御信号を送るために端末によって使用されるリソースの基本リソースインデックス値を判定するために使用され、第２のパラメータがリソースのオフセットリソースインデックス値を判定するために使用されるとき、アップリンク制御信号を送るために使用されるサブフレーム／タイムスロット中のリソースのインデックス値は、プリセットされ得る。たとえば、アップリンク制御信号を送るために使用される全体で６４個のリソースがサブフレーム／タイムスロットにおいて構成される場合、６４個のリソースのインデックス値は１、２、．．．、６３、および６４であり得る。この場合、第１のパラメータによって示される情報は基本リソースインデックス値であることがあり、第２のパラメータによって示される情報はオフセットリソースインデックス値であることがあり、基本リソースインデックス値とオフセットリソースインデックス値の合計は、アップリンク制御信号を送るために端末によって使用されるリソースのインデックス値である。たとえば、第１のパラメータによって示される情報が３２であり、第２のパラメータによって示される情報が４である場合、それは、アップリンク制御信号を送るために端末によって使用されるリソースが、インデックス値が３６のリソースであることを示す。
【０１７７】
具体的には、ダウンリンクリソースに基づいて、アップリンク制御信号を送るために端末によって使用されるリソースに対応する第１のパラメータおよび第２のパラメータを判定することは、ダウンリンクリソースの開始ロケーションまたは終了ロケーションに基づいて、アップリンク制御信号を送るために端末によって使用されるリソースに対応する第１のパラメータおよび第２のパラメータを判定することを特に含み得る。
【０１７８】
具体的には、ダウンリンクリソースの開始ロケーションまたは終了ロケーションに基づいて第１のパラメータ（または第２のパラメータ）を判定するための方法については、図４、図５、または図６に基づく例を参照されたい。詳細はここで再び説明されない。
【０１７９】
７０２．アップリンク制御信号を送るために端末によって使用されるリソース上で、アップリンク制御信号を伝送する。
【０１８０】
本発明のこの実施形態が基地局によって実施される場合、特定の実装では、ステップ７０２は、基地局によって、アップリンク制御信号を送るために端末によって使用されるリソース上でアップリンク制御信号を受信することである。本発明のこの実施形態が端末によって実施される場合、特定の実装では、ステップ７０２は、端末によって、アップリンク制御信号を送るために端末によって使用されるリソース上でアップリンク制御信号を送ることである。
【０１８１】
本発明のこの実施形態において提供される方法によれば、基地局および端末は、端末に対応するダウンリンク制御信号の周波数ドメインリソース、ダウンリンク制御信号の時間ドメインリソース、ダウンリンク制御信号のコードドメインリソース、ダウンリンク制御信号のポート番号、ダウンリンク制御信号に対応するダウンリンクデータの周波数ドメインリソース、ダウンリンク制御信号に対応するダウンリンクデータの時間ドメインリソース、ダウンリンク制御信号に対応するダウンリンクデータのコードドメインリソース、およびダウンリンク制御信号に対応するダウンリンクデータのポート番号のうちの１つまたは複数のダウンリンクリソースに基づいて、アップリンク制御信号を送るために端末によって使用されるリソースを判定し得る。したがって、ダウンリンクデータ伝送が正確であるか不正確であるかを示すために使用される情報を、同じサブフレーム／タイムスロットにおいてフィードバックする必要がある異なる端末について、それらの異なる端末は、異なるダウンリンクリソースを使用して、ダウンリンクデータ伝送が正確であるか不正確であるかを示すために使用される情報を送るために使用されるリソースを判定してよく、それによりリソース競合を防ぐ。
【０１８２】
本発明のこの実施形態が端末によって実施されるとき、ステップ７０１の前に、方法は、基地局によって送信されるダウンリンク制御信号とダウンリンク制御信号に対応するダウンリンクデータとを受信するステップをさらに含み得る。
【０１８３】
端末は、ダウンリンク制御信号とダウンリンク制御信号に対応するダウンリンクデータとを受信する過程において、ダウンリンクリソースを判定し得る。
【０１８４】
本発明のこの実施形態が端末によって実施されるとき、任意選択で、アップリンク制御信号は、ダウンリンクデータ伝送が正確であるか不正確であるかを示すために使用される情報であり、方法は、
ｍの値に基づいて、アップリンク制御信号を送るために端末によって使用されるリソースに対応するコードワードを判定するステップと、
ダウンリンクデータ伝送が正確であるか不正確であるかを示すために使用される情報に対して１／ｋのレートでチャネルコーディングを実施して、ｋの長さをもつビットシーケンスを取得するステップと、
ｋの長さをもつビットシーケンスに対してＢＰＳＫ変調を実施して、ｋの長さをもつ被変調シンボルシーケンスを取得するステップと、
コードワードを使用することによってｋの長さをもつ被変調シンボルシーケンスに対してスペクトラム拡散を実施して、ｍの長さをもつｋ個のシーケンスを取得するステップと、
アップリンク制御信号を送るために端末によって使用されるリソース中のｋ個のリソース要素グループにｍの長さをもつｋ個のシーケンスをそれぞれマッピングするステップとをさらに含む。
【０１８５】
前述のマッピング処理の後で、端末は、リソース上で基地局へ、ダウンリンクデータ伝送が正確であるか不正確であるかを示すために使用される情報をフィードバックし得る。ＢＰＳＫ変調は、ダウンリンクデータ伝送が正確であるか不正確であるかを示すために使用される情報の干渉防止および雑音防止性能を改善し、ビットエラーレートを低減するために使用されることが可能である。
【０１８６】
任意選択で、ダウンリンクデータ伝送が正確であるか不正確であるかを示すために使用される情報は、ダウンリンクデータ伝送が正確であるか不正確であるかを示すために使用される複数の情報に対してＡＮＤ演算を実施することによって取得される情報であり得る。ダウンリンクデータ伝送が正確であるか不正確であるかを示すために使用される１つの情報は、０または１を使用することによって示される。ダウンリンクデータ伝送が正確であるか不正確であるかを示すために使用される複数の情報は、複数のアンテナポート上で、または複数のサブフレーム／タイムスロットにおいて、端末によって受信されるダウンリンクデータに対応する情報であり得る。この場合、端末によってフィードバックされるデータの量は低減されることが可能である。
【０１８７】
当然、ダウンリンクデータ伝送が正確であるか不正確であるかを示すために使用される情報は、代替として、ダウンリンクデータ伝送が正確であるか不正確であるかを示すために使用される１つの情報であってよい。
【０１８８】
現在、ＬＴＥ規格が世界中で広く採用されている。ＬＴＥシステムにおけるアップリンクサブフレーム（Ｕｐｌｉｎｋ  ｓｕｂｆｒａｍｅ）のサブフレーム構造およびダウンリンクサブフレーム（Ｄｏｗｎｌｉｎｋ  ｓｕｂｆｒａｍｅ）が図８に示されている。図８を参照すると、ダウンリンクサブフレームは、ダウンリンク制御領域およびダウンリンクデータ領域を含む。ダウンリンク制御領域は、ダウンリンクサブフレームの最初に配置され、１つ、２つ、または３つの直交周波数分割多重化（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、略してＯＦＤＭ）シンボルの時間長を占有し、帯域幅全体を占有する。
【０１８９】
図８を参照すると、アップリンクサブフレームは、アップリンク制御領域およびアップリンクデータ領域を含む。アップリンク制御領域は、時間ドメインにおいてアップリンクサブフレーム全体の時間長を占有し、周波数ドメインにおいて帯域幅全体の端のロケーションを占有する。明確に占有される周波数帯域幅が構成され得る。アップリンク制御領域では、ＵＥは、基地局へ、ダウンリンクデータのためのＡＣＫ／ＮＡＣＫ情報、アップリンクスケジューリング要求、およびダウンリンクチャネル状態情報などの、アップリンク制御信号を送り得る。アップリンクデータ領域において、ＵＥはアップリンクデータを基地局に伝送し得る。
【０１９０】
図１および図８に示されるサブフレーム構造を比較すると、５Ｇ  ＮＲにおけるサブフレーム／タイムスロット構造中のアップリンク制御領域と、ＬＴＥシステムにおけるサブフレーム構造中のアップリンク制御領域は、完全に異なる時間−周波数リソースを占有する。５Ｇ  ＮＲでは、アップリンク制御領域は、時間ドメインにおいてサブフレーム／タイムスロットの端部にある１つまたは２つのＯＦＤＭシンボルを占有し、周波数ドメインにおいて帯域幅全体を占有する。ＬＴＥシステムでは、アップリンク制御領域は、時間ドメインにおいて１つのサブフレームの時間長を占有し、周波数ドメインにおいて帯域幅全体の上端の帯域幅および下端の帯域幅を占有する。
【０１９１】
ＬＴＥシステムにおいて定義されるＰＵＣＣＨリソースの時間−周波数ロケーション分布が図９に示されている。１つのアップリンクサブフレームは、タイムスロット（スロット）０およびタイムスロット１を含む。１つのＰＵＣＣＨリソースは、時間ドメインにおいて１つのアップリンクサブフレームの時間長を占有し、周波数ドメインにおいて１つの物理リソースブロック（Ｐｈｙｓｉｃａｌ  Ｒｅｓｏｕｒｃｅ  Ｂｌｏｃｋ、略してＰＲＢ）の幅を占有する。さらに、１つのＰＵＣＣＨリソースは、２つのタイムスロット間の周波数ホッピングの対象である。図９を参照すると、ｍという同じ値をもつ時間−周波数リソースが、１つのＰＵＣＣＨリソースを構成する。
【０１９２】
ＬＴＥシステムにおいて、１つのＰＵＣＣＨリソースによって占有される時間−周波数リソースの量が固定されることが学ばれることが可能である。しかしながら、モノのインターネット技術の発達により、ネットワーク中の端末の量は必然的に大きく増える。したがって、５Ｇでは、アップリンク制御領域中のリソースは、より多くの端末にサービスすることが可能である必要がある。明らかに、ＬＴＥシステム中のＰＵＣＣＨリソースを構成するための方法は、この要件を満たすことができない。これに基づいて、本発明の一実施形態は、アップリンク制御信号を伝送するために使用されるリソースを判定するための方法を含む、アップリンク制御信号伝送方法を提供する。
【０１９３】
本発明の一実施形態は、アップリンク制御信号伝送方法を提供する。図１０に示されているように、本方法は以下のステップを含む。
【０１９４】
１００１．アップリンク制御信号を送るために端末によって使用されるリソースを判定し、アップリンク制御信号を送るために端末によって使用されるリソースはｋ個のリソース要素グループを含み、リソース要素グループはｍ個のリソース要素を含み、ｋは正の整数であり、ｍは正の整数である。
【０１９５】
アップリンク制御信号は、ダウンリンクデータ伝送が正確であるか不正確であるかを示すために使用される情報、ダウンリンクチャネル状態情報、アップリンクスケジューリング要求などであり得る。
【０１９６】
ステップ１００１において判定される、アップリンク制御信号を送るために端末によって使用されるリソースは、アップリンク制御信号を送るために端末によって使用される１つまたは複数のリソースであり得る。本発明のこの実施形態では、本発明のこの実施形態において提供される技術的な解決策は、ステップ１００１において判定される、アップリンク制御信号を送るために端末によって使用されるリソースが、アップリンク制御信号を送るために端末によって使用される１つのリソースである例を使用して説明される。
【０１９７】
アップリンク制御信号を送るために異なる端末によって使用されるリソース（またはアップリンク制御信号を送るために１つの端末によって使用される複数のリソース）は、同じ量または異なる量（すなわち、ｋ個）のリソース要素グループを含むことがあり、リソース要素グループは、同じ量または異なる量（すなわち、ｍ個）のリソース要素を含むことがあることに留意されたい。
【０１９８】
リソース要素グループは、データを搬送するために使用されるリソース要素だけを含み得る。この場合、リソース要素グループ中に、復調基準信号を搬送するために使用される対応するリソース要素がある。復調基準信号を搬送するために使用されるこれらのリソース要素において搬送される復調基準信号は、データを搬送するために使用されるリソース要素グループ中のリソース要素において搬送されるデータを復調するために使用される。たとえば、リソース要素グループに含まれるリソース要素の量対復調基準信号を搬送するために使用されリソース要素グループに対応するリソース要素の量の比は、２：１であり得る。
【０１９９】
代替として、リソース要素グループは、データを搬送するために使用されるリソース要素と、復調基準信号を搬送するために使用されるリソース要素の両方を含み得る。この場合、復調基準信号を搬送するために使用されるリソース要素グループ中のリソース要素において搬送される復調基準信号は、データを搬送するために使用されるリソース要素グループ中のリソース要素において搬送されるデータを復調するために使用される。たとえば、リソース要素グループにおいて、データを搬送するために使用されるリソース要素の量対復調基準信号を搬送するために使用されるリソース要素の量の比は、２：１であり得る。
【０２００】
具体的には、本発明のこの実施形態では、リソース要素はＲＥ（Ｒｅｓｏｕｒｃｅ  Ｅｌｅｍｅｎｔ）であり得る。
【０２０１】
たとえば、リソース要素はＲＥであり、ｍ＝６である。帯域幅全体における、データを搬送するＲＥと復調基準信号を搬送するＲＥとのロケーション関係については、図１１または図１２を参照されたい。図１１および図１２において、１つの正方形のブロックが１つのＲＥを示す。正方形のブロックの中のＲは、ＲＥが復調基準信号を搬送するために使用されることを示し、正方形のブロックの中のＤは、ＲＥがデータを搬送するために使用されることを示す。この場合、１つのリソース要素グループは、復調基準信号を搬送するために使用される２つのＲＥと、データを搬送するために使用される４つのＲＥとを含み得る。
【０２０２】
本発明のこの実施形態では、例を提供しやすくするために、リソース要素グループがデータを搬送するために使用されるリソース要素と復調基準信号を搬送するために使用されるリソース要素の両方を含むとき、リソース要素グループ中のｍ個のリソース要素がｍ個の連続するリソース要素である例が使用される。実際には、リソース要素グループ中のｍ個のリソース要素は、帯域幅全体の中の異なるロケーションに散りばめられるｍ個のリソース要素によって構成され得る。
【０２０３】
たとえば、リソース要素はＲＥであり、ｍ＝４である。帯域幅全体における、データを搬送するＲＥと復調基準信号を搬送するＲＥとのロケーション関係については、図１３または図１４を参照されたい。この場合、１つのリソース要素グループは、データを搬送するために使用される４つのＲＥを含み得る。データを搬送するために使用される４つのＲＥは、データを搬送するために使用される帯域幅全体の中のすべてのＲＥのうちの、ｍ個の連続するＲＥによって構成され得る。
【０２０４】
本発明のこの実施形態では、例を提供しやすくするために、リソース要素グループがデータを搬送するために使用されるリソース要素のみを含むとき、リソース要素グループ中のｍ個のリソース要素がデータを搬送するために使用されるすべてのリソース要素のうちのｍ個の連続するリソース要素である例が使用される。実際には、リソース要素グループ中のｍ個のリソース要素は、データを搬送するために使用されるすべてのリソース要素中の異なるロケーションに散りばめられるｍ個のリソース要素によって構成され得る。
【０２０５】
本発明のこの実施形態では、図１１〜図１４において示される、データを搬送するリソース要素と復調基準信号を搬送するリソース要素とのロケーション関係は、説明のための例にすぎず、本発明に対する制約として解釈されるべきではないことに留意されたい。
【０２０６】
具体的には、ステップ１００１の特定の実装では、ｋおよびｍの値がまず判定され得る。ｋおよびｍの値の各グループは、構成ポリシーに対応していることがある。構成ポリシーは、周波数ドメインにおけるｋ個のリソース要素グループのロケーション分布を判定するために使用され得る。
【０２０７】
１００２．アップリンク制御信号を送るために端末によって使用されるリソース上で、アップリンク制御信号を伝送する。
【０２０８】
本発明のこの実施形態は、基地局または端末によって実行され得る。本発明のこの実施形態が基地局によって実施される場合、特定の実装では、ステップ１００２は、基地局によって、アップリンク制御信号を送るために端末によって使用されるリソース上でアップリンク制御信号を受信することである。本発明のこの実施形態が端末によって実施される場合、特定の実装では、ステップ１００２は、端末によって、アップリンク制御信号を送るために端末によって使用されるリソース上でアップリンク制御信号を送ることである。
【０２０９】
本発明のこの実施形態において提供される方法によれば、アップリンク制御信号を送るために異なる端末によって使用され、基地局によって判定されるリソースは、同じ量または異なる量のリソース要素グループを含むことがあり、リソース要素グループは、同じ量または異なる量のリソースを含むことがある。従来技術のものと比較されると、リソーススケジューリングがより柔軟である。さらに、アップリンク制御領域に含まれる全体のリソースが変わらないままであるとき、基地局は、アップリンク制御信号を送るために使用されるリソースをより多くの端末に割り振り、５Ｇ通信システムの要件をより容易に満たすことがある。
【０２１０】
任意選択で、ｋ個のリソース要素グループは、周波数ドメインにおいて非連続的である。この任意選択の方法によれば、ネットワークシステムは、周波数ダイバーシティ利得を得て、伝送の信頼性を向上することができる。
【０２１１】
好ましくは、ｋ個のリソース要素グループが、帯域幅全体に均一に分散される。たとえば、図１５に示されるように、図１５の１つの長方形のブロックは１つのリソース要素グループを示す。ｋ＝４である場合、ｉと番号を付けられたすべてのリソース要素グループは１つのリソースであることがあり、ｉは１、２、または３である。
【０２１２】
具体的には、１つのリソースに含まれるリソース要素グループの量ｋの値、およびリソース要素グループに含まれるリソース要素の量ｍの値は、以下の様式１〜様式３のいずれか１つで判定され得る。
【０２１３】
様式１：アップリンク制御信号の内容に基づいて値を判定する。
【０２１４】
アップリンク制御信号の内容は、以下の内容、すなわちダウンリンクデータ伝送が正確であるか不正確であるかを示すために使用される情報、ダウンリンクチャネル状態情報、アップリンクスケジューリング要求のうちの１つまたは複数を含む。
【０２１５】
具体的には、ｋの値は、アップリンク制御信号の内容のビットの量に基づいて判定され得る。ｋの値は、アップリンク制御信号の内容のビットの量が増大するにつれて増大する。たとえば、アップリンク制御信号の内容が、ダウンリンクデータ伝送が正確であるか不正確であるかを示すために使用される情報であるとき、アップリンク制御信号の内容のビットの量が１である場合、ｋは１であると判定されてよく、または、アップリンク制御信号の内容がダウンリンクチャネル状態情報であるとき、ダウンリンクチャネル状態情報のビットの量が２０である場合、ｋは３であると判定されてよい。
【０２１６】
アップリンク制御信号の内容が、ダウンリンクデータ伝送が正確であるか不正確であるかを示すために使用される情報、ダウンリンクチャネル状態情報、およびアップリンクスケジューリング要求のうちの複数のタイプの内容を含むとき、ｋの値は、アップリンク制御信号の内容に含まれる内容のタイプの量に基づいて判定されてよい。たとえば、アップリンク制御信号の内容が２つのタイプの内容を含む場合、ｋは４であると判定されてよい。
【０２１７】
さらに、ｍの値は、アップリンク制御信号の内容に基づいて判定されてよい。たとえば、アップリンク制御信号の内容が、ダウンリンクデータ伝送が正確であるか不正確であるかを示すために使用される情報であるとき、ｍは４であると判定されてよく、または、アップリンク制御信号の内容がダウンリンクチャネル状態情報であるとき、ｍは８であると判定されてよい。
【０２１８】
具体的には、アップリンク制御信号の異なる内容に対応するｋおよびｍの値は、基地局においてプリセットされてよい。
【０２１９】
ｋおよびｍの値は、アップリンク制御信号の異なる内容に動的に適合するように、アップリンク制御信号の内容に基づいて判定される。ｋおよびｍの固定された値と比較されると、これは、アップリンク制御信号の内容のビットの量が比較的少ないときにリソースの無駄を避けることができ、アップリンク制御信号の内容が比較的多量のビットを有するときにアップリンク制御信号の伝送の信頼性を保証することもできる。
【０２２０】
様式２：アップリンク制御信号に対応するダウンリンクデータのサービスタイプに基づいて値を判定する。
【０２２１】
アップリンク制御信号に対応するダウンリンクデータのサービスタイプは、以下のサービスタイプ、すなわち、モバイルブロードバンドサービスタイプ、低遅延サービスタイプ、高信頼性サービスタイプ、およびモノのインターネットサービスタイプのうちの１つまたは複数を含む。
【０２２２】
具体的には、ｋおよびｍの値は、アップリンク制御信号に対応するダウンリンクデータのサービスタイプのサービス要件に基づいて判定され得る。たとえば、アップリンク制御信号に対応するダウンリンクデータのサービスタイプが高信頼性サービスであるとき、ｋの判定される値は比較的大きいことがあり、たとえばｋ＝４であり、ｍの判定される値は比較的小さいことがあり、たとえばｍ＝４である。アップリンク制御信号に対応するダウンリンクデータのサービスタイプがモノのインターネットサービスであるとき、ｋの判定される値は比較的小さいことがあり、たとえばｋ＝１であり、ｍの判定される値は比較的大きいことがあり、たとえばｍ＝８である。
【０２２３】
ｋおよびｍの値は、異なるサービスタイプのサービス要件により適合するように、アップリンク制御信号に対応するダウンリンクデータのサービスタイプに基づいて判定される。
【０２２４】
様式３：アップリンクチャネル品質に基づいて値を判定する。
【０２２５】
具体的には、アップリンク制御チャネル品質が改善されると、ｋの判定される値が減少することがあり、ｍの判定される値が増大することがある。アップリンク制御チャネルの品質が劣化すると、アップリンク制御信号の正確な伝送を保証するために、ｋの判定される値が増大することがあり、ｍの判定される値が減少することがある。
【０２２６】
ｋおよびｍの値は、伝送の信頼性を保証しながらできるだけリソースの無駄を防ぐように、アップリンクチャネル品質に基づいて判定される。
【０２２７】
任意選択で、ステップ１００２の前に、方法は、アップリンク制御信号を送るために端末によって使用されるリソースに対応するｍの値に基づいて、アップリンク制御信号を送るために端末によって使用されるリソースに対応するコードワードを判定するステップをさらに含み得る。この場合、ステップ１００２は、アップリンク制御信号を送るために端末によって使用されるリソースに対応するコードワードを使用することによって、アップリンク制御信号を送るために端末によって使用されるリソース上でアップリンク制御信号を伝送するステップを含み得る。
【０２２８】
具体的には、コードワードの長さはｍの値に等しい。コードワードグループは、ｍの値に基づいて判定され得る。コードワードグループ中の任意の２つのコードワードは直交符号であり、コードワードグループ中の任意のコードワードの長さはｍの値と同じである。１つのコードワードが、アップリンク制御信号を送るために端末によって使用されるリソースに対応するコードワードとして、コードワードグループから選択される。
【０２２９】
たとえば、ｍ＝４であるとき、コードワードグループはｍの値に基づいて判定され、判定されたコードワードグループ中のコードワードの長さは４であり、１つのコードワードが、アップリンク制御信号を送るために端末によって使用されるリソースに対応するコードワードとして、判定されたコードワードグループから選択される。
【０２３０】
この場合、１つのリソース要素グループが、ｍ／ｘコードワードを使用することによって多重化されてよく、ｘはリソース要素グループにおいて搬送されるデータを復調するための復調基準信号を搬送するために使用されるリソース要素の量である。たとえば、ｍ＝４かつｘ＝２であるとき、復調基準信号を搬送するために使用される２つのリソース要素に対応するコードワードグループは、［＋１  ＋１］および［＋１  −１］を含むことがあり、リソース要素グループに対応するコードワードグループは、［＋１  ＋１  ＋１  ＋１］および［＋１  −１  ＋１  −１］を含むことがある。
【０２３１】
アップリンク制御信号は、相互の干渉を引き起こすことなく、同じ時間ドメインリソース、周波数ドメインリソース、およびアンテナポート上で複数のアップリンク制御信号を伝送するために、直交符号を使用することによって伝送される。このことは、システム容量を改善してより多くのアップリンク制御信号を伝送することを助ける。
【０２３２】
任意選択で、アップリンク制御信号を送るために端末によって使用されるリソースに対応するコードワードを使用することによって、アップリンク制御信号を送るために端末によって使用されるリソース上でアップリンク制御信号を伝送するステップの前に、方法は、
アップリンク制御信号を送るために端末によって使用されるリソース、アップリンク制御信号の内容、アップリンク制御信号に対応するダウンリンクデータのサービスタイプ、およびアップリンク制御信号に対応するダウンリンクデータの制御シグナリングのうちの１つまたは複数に基づいて、アップリンク制御信号を送るために端末によって使用されるリソースに対応するアンテナポートを判定するステップをさらに含むことがあり、アップリンク制御信号を送るために端末によって使用されるリソース上で、アップリンク制御信号を送るために端末によって使用されるリソースに対応するコードワードを使用することによってアップリンク制御信号を伝送するステップは、アップリンク制御信号を送るために端末によって使用されるリソース上で、アップリンク制御信号を送るために端末によって使用されるリソースに対応するコードワードおよびアンテナポートを使用することによって、アップリンク制御信号を伝送するステップを含む。
【０２３３】
たとえば、アップリンク制御信号を送るために端末によって使用されるリソースに対応するアンテナポートは、端末によって送られるべきアップリンク制御信号の内容に基づいて判定され得る。たとえば、アップリンク制御信号が、ダウンリンクデータ伝送が正確であるか不正確であるかを示すために使用される情報であるとき、アップリンク制御信号を送るために端末によって使用されるリソースに対応するアンテナポートは、アンテナポート０であり得る。アップリンク制御信号がダウンリンクチャネル状態情報であるとき、アップリンク制御信号を送るために端末によって使用されるリソースに対応するアンテナポートは、アンテナポート１であり得る。または、アップリンク制御信号がアップリンクスケジューリング要求であるとき、アップリンク制御信号を送るために端末によって使用されるリソースに対応するアンテナポートは、アンテナポート２であり得る。
【０２３４】
本明細書の説明は例にすぎない。特定の実装では、アンテナポートと、以下の情報、すなわち、アップリンク制御信号を送るために端末によって使用されるリソース、アップリンク制御信号の内容、アップリンク制御信号に対応するダウンリンクデータのサービスタイプ、およびアップリンク制御信号に対応するダウンリンクデータの制御シグナリングのうちの１つまたは複数との間に、プリセットされた対応付けがあり得る。基地局および端末は、プリセットされた対応付けに基づいて、アップリンク制御信号を送るために端末によって使用されるリソースに対応するアンテナポートを判定し得る。
【０２３５】
アップリンク制御信号は、アップリンク制御信号を送るために端末によって使用されるリソースに対応するコードワードおよびアンテナポートを使用することによって、アップリンク制御信号を送るために端末によって使用されるリソース上で伝送される。このことは、システム容量を実質的に拡張してより多くのアップリンク制御信号を伝送することができる。
【０２３６】
任意選択で、ステップ１００２の前に、方法は、アップリンク制御信号を送るために端末によって使用されるリソース、アップリンク制御信号の内容、アップリンク制御信号に対応するダウンリンクデータのサービスタイプ、およびアップリンク制御信号に対応するダウンリンクデータの制御シグナリングのうちの１つまたは複数に基づいて、アップリンク制御信号を送るために端末によって使用されるリソースに対応するアンテナポートを判定するステップをさらに含み得る。この場合、ステップ１００２は、アップリンク制御信号を送るために端末によって使用されるリソースに対応するアンテナポートを使用することによって、アップリンク制御信号を送るために端末によって使用されるリソース上でアップリンク制御信号を伝送するステップを含む。
【０２３７】
アップリンク制御信号は、アップリンク制御信号を送るために端末によって使用されるリソースに対応するアンテナポートを使用することによって、アップリンク制御信号を送るために端末によって使用されるリソース上で伝送される。このことは、システム容量をさらに拡張してより多くのアップリンク制御信号を伝送することができる。
【０２３８】
本発明のこの実施形態が基地局によって実施されるとき、任意選択で、方法は、基地局によって、指示メッセージを端末に送るステップをさらに含むことがあり、指示メッセージは、アップリンク制御信号を送信するために端末によって使用されるリソースに対応するｋおよび／またはｍの複数の値／１つの値を示すために使用される。
【０２３９】
基地局によって端末に送られる指示メッセージは、アップリンク制御信号を送るために端末によって使用されるリソースを判定するために、端末によって使用される。
【０２４０】
本発明のこの実施形態が端末によって実施されるとき、任意選択で、ステップ１００１の前に、方法は、端末によって、基地局によって送られる指示メッセージを受信するステップと、指示メッセージに基づく端末によって、アップリンク制御信号を送るために使用されるリソースに対応するパラメータの値を判定するステップであって、パラメータがｋおよび／またはｍを含む、ステップとをさらに含み得る。この場合、ステップ１００１は、アップリンク制御信号を送るために端末によって使用されるリソースに対応するパラメータの値に基づいて、アップリンク制御信号を送るために端末によって使用されるリソースを判定するステップを特に含み得る。
【０２４１】
一実装では、ｋとｍとの間の対応付けのテーブルが端末の中で維持され得る。指示メッセージがｋ（またはｍ）だけの値を含むとき、端末は、ｋ（またはｍ）の値と、ｋとｍとの間の対応付けの維持されるテーブルとに基づいて、ｍ（またはｋ）の値を判定し、次いで、ｋおよびｍの値に基づいて、アップリンク制御信号を送るために端末によって使用されるリソースを判定し得る。
【０２４２】
別の実装では、運用規則が端末に記憶され得る。運用規則によれば、ｋ（またはｍ）の値が知られるとき、ｍ（またはｋ）の値が判定され得る。指示メッセージがｋ（またはｍ）だけの値を含むとき、端末は、運用規則に従った計算を通じてｍ（またはｋ）の値を取得し、次いで、ｋおよびｍの値に基づいて、アップリンク制御信号を送るために端末によって使用されるリソースを判定し得る。
【０２４３】
本発明のこの実施形態が端末によって実施されるとき、任意選択で、アップリンク制御信号が、ダウンリンクデータ伝送が正確であるか不正確であるかを示すために使用される情報である場合、方法は、
端末によって、ダウンリンクデータ伝送が正確であるか不正確であるかを示すために使用される情報に対して１／ｋのレートでチャネルコーディングを実施し、ｋの長さをもつビットシーケンスを取得するステップと、
端末によって、ｋの長さをもつビットシーケンスに対してＢＰＳＫ変調を実施して、ｋの長さをもつ被変調シンボルシーケンスを取得するステップと、
端末によって、コードワードを使用することによって、ｋの長さをもつ被変調シンボルシーケンスに対してスペクトラム拡散を実施して、ｍの長さをもつｋ個のシーケンスを取得するステップと、
端末によって、ｍの長さをもつｋ個のシーケンスをｋ個のリソース要素グループにそれぞれマッピングするステップとをさらに含み得る。
【０２４４】
前述のマッピング処理の後で、端末は、リソース上で基地局へ、ダウンリンクデータ伝送が正確であるか不正確であるかを示すために使用される情報をフィードバックし得る。
【０２４５】
前述のマッピング処理の後で、端末は、リソース上で基地局へ、ダウンリンクデータ伝送が正確であるか不正確であるかを示すために使用される情報をフィードバックし得る。ＢＰＳＫ変調は、ダウンリンクデータ伝送が正確であるか不正確であるかを示すために使用される情報の干渉防止および雑音防止性能を改善し、ビットエラーレートを低減するために使用されることが可能である。
【０２４６】
任意選択で、ダウンリンクデータ伝送が正確であるか不正確であるかを示すために使用される情報は、ダウンリンクデータ伝送が正確であるか不正確であるかを示すために使用される複数の情報に対してＡＮＤ演算を実施することによって取得される情報であり得る。ダウンリンクデータ伝送が正確であるか不正確であるかを示すために使用される１つの情報は、０または１を使用することによって示される。ダウンリンクデータ伝送が正確であるか不正確であるかを示すために使用される複数の情報は、複数のアンテナポート上で、または複数のサブフレーム／タイムスロットにおいて、端末によって受信されるダウンリンクデータに対応する情報であり得る。この場合、端末によってフィードバックされるデータの量は低減されることが可能である。
【０２４７】
当然、ダウンリンクデータ伝送が正確であるか不正確であるかを示すために使用される情報は、代替として、ダウンリンクデータ伝送が正確であるか不正確であるかを示すために使用される１つの情報であってよい。
【０２４８】
上記は、主に方法の観点から、本発明の実施形態において提供される解決策を説明する。上述の機能を実装するために、本発明の方法の実施形態における基地局または端末は、機能を実行するための対応するハードウェア構造および／またはソフトウェアモジュールを含むことを理解されたい。当業者は、本明細書で開示される実施形態に関して説明された例におけるユニットおよびアルゴリズムステップが、ハードウェアまたはハードウェアとコンピュータソフトウェアの組合せによって実装され得ることを、容易に認識するはずである。機能がハードウェアによって実施されるか、またはコンピュータソフトウェアによって駆動されるハードウェアによって実施されるかは、具体的な適用例および技術的解決策の設計制約条件に依存する。当業者は、具体的な適用例ごとに、説明された機能を実装するために異なる方法を使用してよいが、そのような実装は本発明の範囲を越えると考えられるべきではない。
【０２４９】
本発明の実施形態では、基地局または端末の機能ユニットは、上述の方法の実施形態に従って分割され得る。たとえば、機能ユニットが機能に従って分割されてよく、または少なくとも２つの機能が１つの処理モジュールに統合されてよい。統合されたモジュールは、ハードウェアの形態で実装されることがあるか、またはソフトウェア機能モジュールの形態で実装されることがある。本発明の実施形態におけるユニットの分割は例であり、論理的な機能の分割にすぎず、実際の実装では他の分割であり得ることに留意されたい。
【０２５０】
統合されたユニットが使用されるとき、以下は、上述の方法の実施形態における基地局または端末のあり得る概略的な構造図を説明する。
【０２５１】
本発明の一実施形態は、基地局１６０をさらに提供する。図１６に示されているように、基地局１６０は、
アップリンク制御信号を送るために端末によって使用されるリソースを判定するように構成される、判定ユニット１６０１と、
指示情報を端末に送るように構成される送信ユニット１６０２とを含み、指示情報はリソースを示すために使用され、または、指示情報はターゲットパラメータを示すために使用され、ターゲットパラメータは、リソースを判定するために端末によって使用されるパラメータのうちの少なくとも１つを含む。
【０２５２】
任意選択で、リソースを判定するために使用されるパラメータは、第１のパラメータおよび第２のパラメータを含む。第１のパラメータはリソースグループを判定するために使用され、リソースグループはリソースを含み、第２のパラメータはリソースグループ中のリソースを判定するために使用される。代替として、第１のパラメータはリソースの基本リソースインデックス値を判定するために使用され、第２のパラメータはリソースのオフセットリソースインデックス値を判定するために使用される。
【０２５３】
任意選択で、ターゲットパラメータが第１のパラメータを含み、判定ユニット１６０１が、第１のパラメータを判定し、ダウンリンクリソースに基づいて第２のパラメータを判定し、ダウンリンクリソースが、端末に対応するダウンリンク制御信号の周波数ドメインリソース、ダウンリンク制御信号の時間ドメインリソース、ダウンリンク制御信号のコードドメインリソース、ダウンリンク制御信号のポート番号、ダウンリンク制御信号に対応するダウンリンクデータの周波数ドメインリソース、ダウンリンク制御信号に対応するダウンリンクデータの時間ドメインリソース、ダウンリンク制御信号に対応するダウンリンクデータのコードドメインリソース、およびダウンリンク制御信号に対応するダウンリンクデータのポート番号のうちの１つまたは複数を含み、第１のパラメータおよび第２のパラメータに基づいて、アップリンク制御信号を送るために端末によって使用されるリソースを判定するように特に構成される。
【０２５４】
任意選択で、判定ユニット１６０１は、ダウンリンクリソースの開始ロケーションまたは終了ロケーションに基づいて第２のパラメータを判定するように特に構成される。
【０２５５】
任意選択で、ターゲットパラメータは第２のパラメータを含み、判定ユニット１６０１は、
ダウンリンクリソースに基づいて第１のパラメータを判定し、ダウンリンクリソースが、端末に対応するダウンリンク制御信号の周波数ドメインリソース、ダウンリンク制御信号の時間ドメインリソース、ダウンリンク制御信号のコードドメインリソース、ダウンリンク制御信号のポート番号、ダウンリンク制御信号に対応するダウンリンクデータの周波数ドメインリソース、ダウンリンク制御信号に対応するダウンリンクデータの時間ドメインリソース、ダウンリンク制御信号に対応するダウンリンクデータのコードドメインリソース、およびダウンリンク制御信号に対応するダウンリンクデータのポート番号のうちの１つまたは複数を含み、第２のパラメータを判定し、第１のパラメータおよび第２のパラメータに基づいて、アップリンク制御信号を送るために端末によって使用されるリソースを判定するように特に構成される。
【０２５６】
任意選択で、判定ユニット１６０１は、ダウンリンクリソースの開始ロケーションまたは終了ロケーションに基づいて第１のパラメータを判定するように特に構成される。
【０２５７】
任意選択で、送信ユニット１６０２は、端末へ、指示情報を含むＲＲＣメッセージまたはダウンリンク制御シグナリングを送るように特に構成される。
【０２５８】
任意選択で、リソースはｋ個のリソース要素グループを含み、リソース要素グループはｍ個のリソース要素を含み、ｋは正の整数であり、ｍは正の整数である。
【０２５９】
本発明のこの実施形態において提供される基地局１６０中のユニットは、図２に示される方法を実施するように構成される。したがって、基地局１６０の有益な効果については、図２に基づく方法の有益な効果を参照されたい。詳細はここで再び説明されない。
【０２６０】
本発明の一実施形態は、端末１７０をさらに提供する。図１７に示されるように、端末１７０は、
基地局によって送られた指示情報を受信するように構成される、受信ユニット１７０１と、
指示情報に基づいて、アップリンク制御信号を送るために端末によって使用されるリソースを判定し、または、指示情報に基づいて、ターゲットパラメータを判定するように構成される、判定ユニット１７０２とを含み、ターゲットパラメータは、リソースを判定するために使用されるパラメータのうちの少なくとも１つを含む。
【０２６１】
任意選択で、リソースを判定するために使用されるパラメータは、第１のパラメータおよび第２のパラメータを含む。第１のパラメータはリソースグループを判定するために使用され、リソースグループはリソースを含み、第２のパラメータはリソースグループの中のリソースを判定するために使用される。代替として、第１のパラメータはリソースの基本リソースインデックス値を判定するために使用され、第２のパラメータはリソースのオフセットリソースインデックス値を判定するために使用される。
【０２６２】
任意選択で、ターゲットパラメータは第１のパラメータを含み、判定ユニット１７０２は、
ダウンリンクリソースに基づいて第２のパラメータを判定するようにさらに構成され、ダウンリンクリソースは、端末に対応するダウンリンク制御信号の周波数ドメインリソース、ダウンリンク制御信号の時間ドメインリソース、ダウンリンク制御信号のコードドメインリソース、ダウンリンク制御信号のポート番号、ダウンリンク制御信号に対応するダウンリンクデータの周波数ドメインリソース、ダウンリンク制御信号に対応するダウンリンクデータの時間ドメインリソース、ダウンリンク制御信号に対応するダウンリンクデータのコードドメインリソース、およびダウンリンク制御信号に対応するダウンリンクデータのポート番号のうちの１つまたは複数を含む。
【０２６３】
任意選択で、判定ユニット１７０２は、ダウンリンクリソースの開始ロケーションまたは終了ロケーションに基づいて第２のパラメータを判定するように特に構成される。
【０２６４】
任意選択で、ターゲットパラメータは第２のパラメータを含み、判定ユニット１７０２はさらに、
ダウンリンクリソースに基づいて第１のパラメータを判定するように構成され、ダウンリンクリソースは、端末に対応するダウンリンク制御信号の周波数ドメインリソース、ダウンリンク制御信号の時間ドメインリソース、ダウンリンク制御信号のコードドメインリソース、ダウンリンク制御信号のポート番号、ダウンリンク制御信号に対応するダウンリンクデータの周波数ドメインリソース、ダウンリンク制御信号に対応するダウンリンクデータの時間ドメインリソース、ダウンリンク制御信号に対応するダウンリンクデータのコードドメインリソース、およびダウンリンク制御信号に対応するダウンリンクデータのポート番号のうちの１つまたは複数を含む。
【０２６５】
任意選択で、判定ユニット１７０２は、ダウンリンクリソースの開始ロケーションまたは終了ロケーションに基づいて第１のパラメータを判定するように特に構成される。
【０２６６】
任意選択で、判定ユニット１７０２はさらに、ターゲットパラメータおよび第２のパラメータに基づいてリソースを判定するように構成される。
【０２６７】
任意選択で、判定ユニット１７０２はさらに、ターゲットパラメータおよび第１のパラメータに基づいてリソースを判定するように構成される。
【０２６８】
任意選択で、リソースはｋ個のリソース要素グループを含み、リソース要素グループはｍ個のリソース要素を含み、ｋは正の整数であり、ｍは正の整数である。
【０２６９】
任意選択で、アップリンク制御信号は、ダウンリンクデータ伝送が正確であるか不正確であるかを示すために使用される情報である。図１７に示されているように、端末は実行ユニット１７０３をさらに含む。実行ユニット１７０３は、ｍの値に基づいて、リソースに対応するコードワードを判定し、ダウンリンクデータ伝送が正確であるか不正確であるかを示すために使用される情報に対して１／ｋのレートでチャネルコーディングを実施して、ｋの長さをもつビットシーケンスを取得し、ｋの長さをもつビットシーケンスに対してＢＰＳＫ変調を実施して、ｋの長さをもつ被変調シンボルシーケンスを取得し、コードワードを使用することによってｋの長さをもつ被変調シンボルシーケンスに対してスペクトラム拡散を実施して、ｍの長さをもつｋ個のシーケンスを取得し、ｍの長さをもつｋ個のシーケンスをリソース中のｋ個のリソース要素グループにそれぞれマッピングするように構成される。
【０２７０】
任意選択で、ダウンリンクデータ伝送が正確であるか不正確であるかを示すために使用される情報は、ダウンリンクデータ伝送が正確であるか不正確であるかを示すために使用される複数の情報に対してＡＮＤ演算を実施することによって取得される情報である。
【０２７１】
本発明のこの実施形態において提供される端末１７０中のユニットは、図２に示される方法を実施するように構成される。したがって、端末１７０の有益な効果については、図２に基づく方法の有益な効果を参照されたい。詳細はここで再び説明されない。
【０２７２】
本発明の一実施形態はさらに、アップリンク制御信号伝送装置１８０を提供する。装置１８０は基地局または端末であり得る。図１８または図１９に示されるように、装置１８０は、
ダウンリンクリソースに基づいて、アップリンク制御信号を送るために端末によって使用されるリソースを判定するように構成される、判定ユニット１８０１であって、ダウンリンクリソースが、端末に対応するダウンリンク制御信号の周波数ドメインリソース、ダウンリンク制御信号の時間ドメインリソース、ダウンリンク制御信号のコードドメインリソース、ダウンリンク制御信号のポート番号、ダウンリンク制御信号に対応するダウンリンクデータの周波数ドメインリソース、ダウンリンク制御信号に対応するダウンリンクデータの時間ドメインリソース、ダウンリンク制御信号に対応するダウンリンクデータのコードドメインリソース、およびダウンリンク制御信号に対応するダウンリンクデータのポート番号のうちの１つまたは複数を含む、判定ユニット１８０１と、
リソース上でアップリンク制御信号を伝送するように構成される、伝送ユニット１８０２とを含む。
【０２７３】
任意選択で、判定ユニット１８０１が、ダウンリンクリソースに基づいて、アップリンク制御信号を送るために端末によって使用されるリソースに対応する第１のパラメータおよび第２のパラメータを判定し、リソースに対応する第１のパラメータがリソースグループを判定するために使用され、リソースグループがリソースを含み、リソースに対応する第２のパラメータがリソースグループ中のリソースを判定するために使用され、または、リソースに対応する第１のパラメータがリソースの基本リソースインデックス値を判定するために使用され、リソースに対応する第２のパラメータがリソースのオフセットリソースインデックス値を判定するために使用され、リソースに対応する第１のパラメータおよび第２のパラメータに基づいてリソースを判定するように特に構成される。
【０２７４】
任意選択で、判定ユニット１８０１は、ダウンリンクリソースの開始ロケーションまたは終了ロケーションに基づいて、アップリンク制御信号を送るために端末によって使用されるリソースに対応する第１のパラメータおよび第２のパラメータを判定するように特に構成される。
【０２７５】
任意選択で、リソースはｋ個のリソース要素グループを含み、リソース要素グループはｍ個のリソース要素を含み、ｋは正の整数であり、ｍは正の整数である。
【０２７６】
任意選択で、装置１８０は端末であり、伝送ユニット１８０２は、基地局によって送られるダウンリンク制御信号およびダウンリンク制御信号に対応するダウンリンクデータを受信するようにさらに構成される。
【０２７７】
任意選択で、アップリンク制御信号は、ダウンリンクデータ伝送が正確であるか不正確であるかを示すために使用される情報であり、装置１８０は端末である。図１９に示されているように、装置１８０は実行ユニット１８０３をさらに含む。実行ユニット１８０３は、ｍの値に基づいて、リソースに対応するコードワードを判定し、ダウンリンクデータ伝送が正確であるか不正確であるかを示すために使用される情報に対して１／ｋのレートでチャネルコーディングを実施して、ｋの長さをもつビットシーケンスを取得し、ｋの長さをもつビットシーケンスに対してＢＰＳＫ変調を実施して、ｋの長さをもつ被変調シンボルシーケンスを取得し、コードワードを使用することによってｋの長さをもつ被変調シンボルシーケンスに対してスペクトラム拡散を実施して、ｍの長さをもつｋ個のシーケンスを取得し、ｍの長さをもつｋ個のシーケンスをリソースの中のｋ個のリソース要素グループにそれぞれマッピングするように構成される。
【０２７８】
任意選択で、ダウンリンクデータ伝送が正確であるか不正確であるかを示すために使用される情報は、ダウンリンクデータ伝送が正確であるか不正確であるかを示すために使用される複数の情報に対してＡＮＤ演算を実施することによって得られる情報である。
【０２７９】
本発明のこの実施形態において提供される装置１８０中のユニットは、図７に示される方法を実施するように構成される。したがって、装置１８０の有益な効果については、図７に基づく方法の有益な効果を参照されたい。詳細はここで再び説明されない。
【０２８０】
本発明の一実施形態はさらに、アップリンク制御信号伝送装置２００を提供する。図２０または図２１に示されるように、装置２００は、
アップリンク制御信号を送るために端末によって使用されるリソースを判定するように構成される、判定ユニット２００１であって、リソースがｋ個のリソース要素グループを含み、リソース要素グループがｍ個のリソース要素を含み、ｋが正の整数であり、ｍが正の整数である、判定ユニット２００１と、
リソース上でアップリンク制御信号を伝送するように構成される、伝送ユニット２００２とを含む。
【０２８１】
任意選択で、ｋ個のリソース要素グループは、周波数ドメインにおいて非連続的である。
【０２８２】
任意選択で、リソースに対応するｋおよびｍの値は、アップリンク制御信号の内容に基づいて判定され、アップリンク制御信号の内容は、以下の内容、すなわちダウンリンクデータ伝送が正確であるか不正確であるかを示すために使用される情報、ダウンリンクチャネル状態情報、アップリンクスケジューリング要求のうちの１つまたは複数を含む。代替として、リソースに対応するｋおよびｍの値は、アップリンク制御信号に対応するダウンリンクデータのサービスタイプに基づいて判定され、アップリンク制御信号に対応するダウンリンクデータのサービスタイプは、以下のサービスタイプ、すなわち、モバイルブロードバンドサービスタイプ、低遅延サービスタイプ、高信頼性サービスタイプ、およびモノのインターネットサービスタイプのうちの１つまたは複数を含む。代替として、リソースに対応するｋおよびｍの値は、アップリンクチャネル品質に基づいて判定される。
【０２８３】
任意選択で、判定ユニット２００１は、リソースに対応するｍの値に基づいて、リソースに対応するコードワードを判定するようにさらに構成され、伝送ユニット２００２は、リソースに対応するコードワードを使用することによって、リソース上でアップリンク制御信号を伝送するように特に構成される。
【０２８４】
任意選択で、判定ユニット２００１は、リソース、アップリンク制御信号の内容、アップリンク制御信号に対応するダウンリンクデータのサービスタイプ、およびアップリンク制御信号に対応するダウンリンクデータの制御シグナリングのうちの１つまたは複数に基づいて、リソースに対応するアンテナポートを判定するようにさらに構成され、伝送ユニット２００２は、リソースに対応するアンテナポートを使用することによって、リソース上でアップリンク制御信号を伝送するように特に構成される。
【０２８５】
任意選択で、判定ユニット２００１は、リソース、アップリンク制御信号の内容、アップリンク制御信号に対応するダウンリンクデータのサービスタイプ、およびアップリンク制御信号に対応するダウンリンクデータの制御シグナリングのうちの１つまたは複数に基づいて、リソースに対応するアンテナポートを判定するようにさらに構成され、伝送ユニット２００２は、リソースに対応するコードワードおよびアンテナポートを使用することによって、リソース上でアップリンク制御信号を伝送するように特に構成される。
【０２８６】
任意選択で、リソース要素グループ中で、データを搬送するために使用されるリソース要素の量対復調基準信号を搬送するために使用されるリソース要素の量の比は２：１であり、または、リソース要素グループに含まれるリソース要素の量対復調基準信号を搬送するために使用されリソース要素グループに対応するリソース要素の量の比は２：１である。
【０２８７】
任意選択で、装置２００は基地局であり、伝送ユニット２００２は、指示メッセージを端末に送るようにさらに構成され、指示メッセージは、リソースに対応するｋおよび／またはｍの複数の値／１つの値を示すために使用される。
【０２８８】
任意選択で、装置２００は端末であり、伝送ユニット２００２は、基地局によって送信される指示メッセージを受信するようにさらに構成される。判定ユニット２００１は、指示メッセージに基づいて、アップリンク制御信号を送るために使用されるリソースに対応するパラメータの値を判定するようにさらに構成され、パラメータはｋおよび／またはｍを含む。判定ユニット２００１は、リソースに対応するパラメータの値に基づいてリソースを判定するように特に構成される。
【０２８９】
任意選択で、アップリンク制御信号は、ダウンリンクデータ伝送が正確であるか不正確であるかを示すために使用される情報であり、装置２００は端末である。図２１に示されているように、装置２００は実行ユニット２００３をさらに含む。実行ユニット２００３は、ｍの値に基づいて、リソースに対応するコードワードを判定し、ダウンリンクデータ伝送が正確であるか不正確であるかを示すために使用される情報に対して１／ｋのレートでチャネルコーディングを実施して、ｋの長さをもつビットシーケンスを取得し、ｋの長さをもつビットシーケンスに対してＢＰＳＫ変調を実施して、ｋの長さをもつ被変調シンボルシーケンスを取得し、コードワードを使用することによってｋの長さをもつ被変調シンボルシーケンスに対してスペクトラム拡散を実施して、ｍの長さをもつｋ個のシーケンスを取得し、ｍの長さをもつｋ個のシーケンスをリソースの中のｋ個のリソース要素グループにそれぞれマッピングするように構成される。
【０２９０】
任意選択で、ダウンリンクデータ伝送が正確であるか不正確であるかを示すために使用される情報は、ダウンリンクデータ伝送が正確であるか不正確であるかを示すために使用される複数の情報に対してＡＮＤ演算を実施することによって取得される情報である。
【０２９１】
本発明のこの実施形態において提供される装置２００の中のユニットは、図１０に示される方法を実施するように構成される。したがって、装置２００の有益な効果については、図１０に基づく方法の有益な効果を参照されたい。詳細はここで再び説明されない。
【０２９２】
本発明の一実施形態は、装置２２０をさらに提供する。図２２に示されているように、装置２２０は、プロセッサ２２０１、通信インターフェース２２０２、メモリ２２０３、およびバス２２０４を含む。
【０２９３】
プロセッサ２２０１、通信インターフェース２２０２、およびメモリ２２０３は、バス２２０４を使用することによって接続される。バスは、周辺構成要素相互接続（ｐｅｒｉｐｈｅｒａｌ  ｃｏｍｐｏｎｅｎｔ  ｉｎｔｅｒｃｏｎｎｅｃｔ、略してＰＣＩ）バス、拡張業界標準アーキテクチャ（ｅｘｔｅｎｄｅｄ  ｉｎｄｕｓｔｒｙ  ｓｔａｎｄａｒｄ  ａｒｃｈｉｔｅｃｔｕｒｅ、略してＥＩＳＡ）バスなどであり得る。バス２２０４は、アドレスバス、データバス、制御バスなどに分類され得る。表現を容易にするために、図２２ではバスを表すためにただ１つの太線が使用されるが、これは、ただ１つのバスまたはただ１つのタイプのバスがあることを意味しない。
【０２９４】
プロセッサ２２０１は、中央処理ユニット（ｃｅｎｔｒａｌ  ｐｒｏｃｅｓｓｉｎｇ  ｕｎｉｔ、ＣＰＵ）、汎用プロセッサ、デジタル信号プロセッサ（ｄｉｇｉｔａｌ  ｓｉｇｎａｌ  ｐｒｏｃｅｓｓｏｒ、ＤＳＰ）、特定用途向け集積回路（ａｐｐｌｉｃａｔｉｏｎ−ｓｐｅｃｉｆｉｃ  ｉｎｔｅｇｒａｔｅｄ  ｃｉｒｃｕｉｔ、ＡＳＩＣ）、フィールドプログラマブルゲートアレイ（ｆｉｅｌｄ  ｐｒｏｇｒａｍｍａｂｌｅ  ｇａｔｅ  ａｒｒａｙ、ＦＰＧＡ）もしくは別のプログラマブル論理デバイス、トランジスタ論理デバイス、ハードウェア構成要素、またはそれらの任意の組合せであり得る。プロセッサは、本発明で開示される内容に関して説明される様々な例示的な論理ブロック、モジュール、および回路を実装または実行し得る。代替として、プロセッサは、コンピューティング機能を実装する組合せ、たとえば、１つもしくは複数のマイクロプロセッサの組合せまたはＤＳＰとマイクロプロセッサの組合せであり得る。
【０２９５】
メモリ２２０３は、対応する活動を実施するためにプロセッサ２２０１によって使用されるコンピュータで実行される命令を記憶し得る。具体的には、メモリ２２０３は、メモリ、レジスタ、ハードディスク、リムーバブルハードディスク、コンパクトディスク読取り専用メモリ（コンパクトディスクＲＯＭ、ＣＤ−ＲＯＭ）、または当技術分野における別の形式の任意のよく知られている記憶媒体であり得る。メモリは、ランダムアクセスメモリ（ｒａｎｄｏｍ  ａｃｃｅｓｓ  ｍｅｍｏｒｙ、ＲＡＭ）、フラッシュメモリ、読取り専用メモリ（ｒｅａｄ−ｏｎｌｙ  ｍｅｍｏｒｙ、ＲＯＭ）、消去可能プログラマブル読取り専用メモリ（ｅｒａｓａｂｌｅ  ｐｒｏｇｒａｍｍａｂｌｅ  ＲＯＭ、ＥＰＲＯＭ）、電気的消去可能プログラマブル読取り専用メモリ（ｅｌｅｃｔｒｉｃａｌｌｙ  ＥＰＲＯＭ、ＥＥＰＲＯＭ）などであり得る。
【０２９６】
装置２２０は、基地局、端末、またはアップリンク制御信号伝送装置であり得る。
【０２９７】
具体的には、ある場合、装置２００は、図２に示される方法でステップ２０１およびステップ２０２を実施するように構成され得る。この場合、装置２２０は基地局であり、プロセッサ２２０１は判定ユニット１６０１によって実施される活動を実施してよく、通信インターフェース２２０２は送信ユニット１６０２によって実施される活動を実施してよい。
【０２９８】
ある場合、装置２００は、図２に示される方法でステップ２０２およびステップ２０３を実施するように構成され得る。この場合、装置２２０は端末であり、プロセッサ２２０１は判定ユニット１７０２および実行ユニット１７０３によって実施される活動を実施してよく、通信インターフェース２２０２は受信ユニット１７０１によって実施される活動を実施してよい。
【０２９９】
ある場合、装置２２０は、図７に示される方法を実施するように構成され得る。この場合、装置２２０が基地局であるとき、プロセッサ２２０１は判定ユニット１８０１によって実施される活動を実施してよく、通信インターフェース２２０２は伝送ユニット１８０２によって実施される活動を実施してよい。代替として、装置２２０が端末であるとき、プロセッサ２２０１は判定ユニット１８０１および実行ユニット１８０３によって実施される活動を実施してよく、通信インターフェース２２０２は伝送ユニット１８０２によって実施される活動を実施してよい。
【０３００】
別の場合、装置２２０は、図１０に示される方法を実施するように構成され得る。この場合、装置２２０が基地局であるとき、プロセッサ２２０１は判定ユニット２００１によって実施される活動を実施してよく、通信インターフェース２２０２は伝送ユニット２００２によって実施される活動を実施してよい。代替として、装置２２０が端末であるとき、プロセッサ２２０１は判定ユニット２００１および実行ユニット２００３によって実施される活動を実施してよく、通信インターフェース２２０２は伝送ユニット２００２によって実施される活動を実施してよい。
【０３０１】
本発明において開示される内容に関して説明される方法またはアルゴリズムステップは、ハードウェアによって実装されることがあり、またはソフトウェア命令を実行することによってプロセッサによって実装されることがある。ソフトウェア命令は、対応するソフトウェアモジュールを含み得る。ソフトウェアモジュールは記憶媒体に記憶され得る。例示的な記憶媒体はプロセッサに結合され、したがって、プロセッサは、記憶媒体から情報を読み取ることができ、かつ記憶媒体に情報を書き込むことができる。当然、記憶媒体は代替として、プロセッサの構成要素であってよい。プロセッサおよび記憶媒体は、記憶デバイスの中に配置され得る。
【０３０２】
上述の１つまたは複数の例において、本発明で説明される機能は、ハードウェア、ソフトウェア、ファームウェア、またはこれらの任意の組合せによって実装され得ることを、当業者は認識することが可能であるはずである。機能がソフトウェアによって実装されるとき、機能は、コンピュータ可読媒体中の１つまたは複数の命令またはコードとしてコンピュータ可読媒体に記憶され得るか、または伝送され得る。コンピュータ可読媒体は、コンピュータ記憶媒体および通信媒体を含み、通信媒体は、ある場所から別の場所にコンピュータプログラムが伝送されることを可能にする任意の媒体を含む。記憶媒体は、汎用または専用コンピュータにとってアクセス可能な任意の利用可能な媒体であり得る。
【０３０３】
本発明の目的、技術的な解決策、および有益な効果は、上述の特定の実装において詳細にさらに説明される。上述の説明は、本発明の特定の実装にすぎず、本発明の保護範囲を限定することは意図されないことを、理解されたい。本発明の技術的な解決策に基づいて行われるどのような変更、等価な置換、または改善も、本発明の保護範囲内に入るものとする。
【図１】
2019533388.tif 000003
【図２】
2019533388.tif 000004
【図３】
2019533388.tif 000005
【図４】
2019533388.tif 000006
【図５】
2019533388.tif 000007
【図６】
2019533388.tif 000008
【図７】
2019533388.tif 000009
【図８】
2019533388.tif 000010
【図９】
2019533388.tif 000011
【図１０】
2019533388.tif 000012
【図１１】
2019533388.tif 000013
【図１２】
2019533388.tif 000014
【図１３】
2019533388.tif 000015
【図１４】
2019533388.tif 000016
【図１５】
2019533388.tif 000017
【図１６】
2019533388.tif 000018
【図１７】
2019533388.tif 000019
【図１８】
2019533388.tif 000020
【図１９】
2019533388.tif 000021
【図２０】
2019533388.tif 000022
【図２１】
2019533388.tif 000023
【図２２】
2019533388.tif 000024
【手続補正書】
【提出日】令和1年6月10日(2019.6.10)
【手続補正１】
【補正対象書類名】特許請求の範囲
【補正対象項目名】全文
【補正方法】変更
【補正の内容】
【特許請求の範囲】
【請求項１】
基地局によって、アップリンク制御信号を送るために端末によって使用されるリソースを判定するステップと、
前記基地局によって、前記端末に指示情報を送るステップであって、前記指示情報は前記リソースを示すために使用されるか、または前記指示情報はターゲットパラメータを示すために使用され、前記ターゲットパラメータは、前記リソースを判定するために前記端末によって使用されるパラメータのうちの少なくとも１つを備える、ステップと
を備える、リソース指示方法。
【請求項２】
前記リソースを判定するために使用される前記パラメータは、第１のパラメータおよび第２のパラメータを備え、前記第１のパラメータは、リソースグループを判定するために使用され、前記リソースグループは前記リソースを備え、前記第２のパラメータは、前記リソースグループ中の前記リソースを判定するために使用されるか、または前記第１のパラメータは、前記リソースの基本リソースインデックス値を判定するために使用され、前記第２のパラメータは、前記リソースのオフセットリソースインデックス値を判定するために使用される請求項１に記載の方法。
【請求項３】
前記ターゲットパラメータは前記第１のパラメータを備え、基地局によって、アップリンク制御信号を送るために端末によって使用されるリソースを判定する前記ステップは、
前記基地局によって前記第１のパラメータを判定するステップと、
前記基地局によって、ダウンリンクリソースに基づいて前記第２のパラメータを判定するステップであって、前記ダウンリンクリソースは、前記端末に対応するダウンリンク制御信号の周波数ドメインリソース、前記ダウンリンク制御信号の時間ドメインリソース、前記ダウンリンク制御信号のコードドメインリソース、前記ダウンリンク制御信号のポート番号、前記ダウンリンク制御信号に対応するダウンリンクデータの周波数ドメインリソース、前記ダウンリンク制御信号に対応する前記ダウンリンクデータの時間ドメインリソース、前記ダウンリンク制御信号に対応する前記ダウンリンクデータのコードドメインリソース、および前記ダウンリンク制御信号に対応する前記ダウンリンクデータのポート番号のうちの１つまたは複数を備える、ステップと、
前記第１のパラメータおよび前記第２のパラメータに基づいて前記基地局によって、前記アップリンク制御信号を送るために前記端末によって使用される前記リソースを判定するステップと
を備える請求項２に記載の方法。
【請求項４】
前記基地局によって、ダウンリンクリソースに基づいて前記第２のパラメータを判定する前記ステップは、
前記基地局によって、前記ダウンリンクリソースの開始ロケーションまたは終了ロケーションに基づいて前記第２のパラメータを判定するステップ
を備える請求項３に記載の方法。
【請求項５】
前記ターゲットパラメータは前記第２のパラメータを備え、基地局によって、アップリンク制御信号を送るために端末によって使用されるリソースを判定する前記ステップは、
前記基地局によって、ダウンリンクリソースに基づいて前記第１のパラメータを判定するステップであって、前記ダウンリンクリソースは、前記端末に対応するダウンリンク制御信号の周波数ドメインリソース、前記ダウンリンク制御信号の時間ドメインリソース、前記ダウンリンク制御信号のコードドメインリソース、前記ダウンリンク制御信号のポート番号、前記ダウンリンク制御信号に対応するダウンリンクデータの周波数ドメインリソース、前記ダウンリンク制御信号に対応する前記ダウンリンクデータの時間ドメインリソース、前記ダウンリンク制御信号に対応する前記ダウンリンクデータのコードドメインリソース、および前記ダウンリンク制御信号に対応する前記ダウンリンクデータのポート番号のうちの１つまたは複数を備える、ステップと、
前記基地局によって前記第２のパラメータを判定するステップと、
前記第１のパラメータおよび前記第２のパラメータに基づいて前記基地局によって、前記アップリンク制御信号を送るために前記端末によって使用される前記リソースを判定するステップと
を備える請求項２に記載の方法。
【請求項６】
前記基地局によって、ダウンリンクリソースに基づいて前記第１のパラメータを判定する前記ステップは、
前記基地局によって、前記ダウンリンクリソースの開始ロケーションまたは終了ロケーションに基づいて前記第１のパラメータを判定するステップ
を備える請求項５に記載の方法。
【請求項７】
前記基地局によって、前記端末に指示情報を送る前記ステップは、
前記基地局によって前記端末に、前記指示情報を備える無線リソース制御ＲＲＣメッセージまたはダウンリンク制御シグナリングを送るステップ
を備える請求項１乃至６のいずれか一項に記載の方法。
【請求項８】
前記リソースはｋ個のリソース要素グループを備え、前記リソース要素グループはｍ個のリソース要素を備え、ｋは正の整数であり、ｍは正の整数である請求項１乃至７のいずれか一項に記載の方法。
【請求項９】
端末によって、基地局によって送られた指示情報を受信するステップと、
前記指示情報に基づいて前記端末によって、アップリンク制御信号を送るために前記端末によって使用されるリソースを判定するステップ、または前記指示情報に基づいて前記端末によって、ターゲットパラメータを判定するステップであって、前記ターゲットパラメータは、前記リソースを判定するために使用されるパラメータのうちの少なくとも１つを備える、ステップと
を備える、リソース指示方法。
【請求項１０】
前記リソースを判定するために使用される前記パラメータは、第１のパラメータおよび第２のパラメータを備え、前記第１のパラメータは、リソースグループを判定するために使用され、前記リソースグループは前記リソースを備え、前記第２のパラメータは、前記リソースグループ中の前記リソースを判定するために使用されるか、または前記第１のパラメータは、前記リソースの基本リソースインデックス値を判定するために使用され、前記第２のパラメータは、前記リソースのオフセットリソースインデックス値を判定するために使用される請求項９に記載の方法。
【請求項１１】
前記ターゲットパラメータは前記第１のパラメータを備え、前記方法は、
前記端末によって、ダウンリンクリソースに基づいて前記第２のパラメータを判定するステップであって、前記ダウンリンクリソースは、前記端末に対応するダウンリンク制御信号の周波数ドメインリソース、前記ダウンリンク制御信号の時間ドメインリソース、前記ダウンリンク制御信号のコードドメインリソース、前記ダウンリンク制御信号のポート番号、前記ダウンリンク制御信号に対応するダウンリンクデータの周波数ドメインリソース、前記ダウンリンク制御信号に対応する前記ダウンリンクデータの時間ドメインリソース、前記ダウンリンク制御信号に対応する前記ダウンリンクデータのコードドメインリソース、および前記ダウンリンク制御信号に対応する前記ダウンリンクデータのポート番号のうちの１つまたは複数を備える、ステップ
をさらに備える請求項１０に記載の方法。
【請求項１２】
前記端末によって、ダウンリンクリソースに基づいて前記第２のパラメータを判定する前記ステップは、
前記端末によって、前記ダウンリンクリソースの開始ロケーションまたは終了ロケーションに基づいて前記第２のパラメータを判定するステップ
を備える請求項１１に記載の方法。
【請求項１３】
前記ターゲットパラメータは前記第２のパラメータを備え、前記方法は、
前記端末によって、ダウンリンクリソースに基づいて前記第１のパラメータを判定するステップであって、前記ダウンリンクリソースは、前記端末に対応するダウンリンク制御信号の周波数ドメインリソース、前記ダウンリンク制御信号の時間ドメインリソース、前記ダウンリンク制御信号のコードドメインリソース、前記ダウンリンク制御信号のポート番号、前記ダウンリンク制御信号に対応するダウンリンクデータの周波数ドメインリソース、前記ダウンリンク制御信号に対応する前記ダウンリンクデータの時間ドメインリソース、前記ダウンリンク制御信号に対応する前記ダウンリンクデータのコードドメインリソース、および前記ダウンリンク制御信号に対応する前記ダウンリンクデータのポート番号のうちの１つまたは複数を備える、ステップ
をさらに備える請求項１０に記載の方法。
【請求項１４】
前記端末は、前記ダウンリンクリソースに基づいて前記第１のパラメータを判定し、前記方法は、
前記端末によって、前記ダウンリンクリソースの開始ロケーションまたは終了ロケーションに基づいて前記第１のパラメータを判定するステップ
をさらに備える請求項１３に記載の方法。
【請求項１５】
前記方法は、
前記端末によって、前記ターゲットパラメータおよび前記第２のパラメータに基づいて前記リソースを判定するステップ
をさらに備える請求項１１または１２に記載の方法。
【請求項１６】
前記リソースはｋ個のリソース要素グループを備え、前記リソース要素グループはｍ個のリソース要素を備え、ｋは正の整数であり、ｍは正の整数である請求項９乃至１５のいずれか一項に記載の方法。
【請求項１７】
前記アップリンク制御信号は、ダウンリンクデータ伝送が正確であるか不正確であるかを示すために使用される情報であり、前記方法は、
ｍの値に基づいて前記端末によって、前記リソースに対応するコードワードを判定するステップと、
前記端末によって、ダウンリンクデータ伝送が正確であるか不正確であるかを示すために使用される前記情報に対して１／ｋのレートでチャネルコーディングを実施して、ｋの長さをもつビットシーケンスを取得するステップと、
前記端末によって、ｋの長さをもつ前記ビットシーケンスに対して２位相シフトキーイングＢＰＳＫ変調を実施して、ｋの長さをもつ被変調シンボルシーケンスを取得するステップと、
前記端末によって、前記コードワードを使用することによってｋの長さをもつ前記被変調シンボルシーケンスに対してスペクトラム拡散を実施して、ｍの長さをもつｋ個のシーケンスを取得するステップと、
前記端末によって、前記リソース中の前記ｋ個のリソース要素グループにｍの長さをもつ前記ｋ個のシーケンスをそれぞれマッピングするステップと
をさらに備える請求項１６に記載の方法。
【請求項１８】
ダウンリンクデータ伝送が正確であるか不正確であるかを示すために使用される前記情報は、ダウンリンクデータ伝送が正確であるか不正確であるかを示すために使用される複数の情報に対してＡＮＤ演算を実施することによって取得される情報である請求項１７に記載の方法。
【請求項１９】
プロセッサ、メモリ、バス、および通信インターフェースを備える基地局であって、
前記メモリは、コンピュータ実行可能命令を記憶するように構成され、前記プロセッサおよび前記メモリは、前記バスを使用することによって接続され、前記プロセッサは、前記メモリに記憶された前記コンピュータ実行可能命令に基づいて、請求項１乃至８のいずれか一項に記載のリソース指示方法を実施する、
基地局。
【請求項２０】
プロセッサ、メモリ、バス、および通信インターフェースを備える端末であって、
前記メモリは、コンピュータ実行可能命令を記憶するように構成され、前記プロセッサおよび前記メモリは、前記バスを使用することによって接続され、前記プロセッサは、前記メモリに記憶された前記コンピュータ実行可能命令に基づいて、請求項９乃至１７のいずれか一項に記載のリソース指示方法を実施する、
端末。
【手続補正２】
【補正対象書類名】明細書
【補正対象項目名】０２４５
【補正方法】変更
【補正の内容】
【０２４５】
ＢＰＳＫ変調は、ダウンリンクデータ伝送が正確であるか不正確であるかを示すために使用される情報の干渉防止および雑音防止性能を改善し、ビットエラーレートを低減するために使用されることが可能である。
【国際調査報告】
2019533388.tif 000025
2019533388.tif 000026
2019533388.tif 000027
2019533388.tif 000028
2019533388.tif 000029
2019533388.tif 000030